(57)【要約】【課題】快適に使用することができる和式の座椅子を提供する。【解決手段】人が腰を掛けるための座面６Ａを有する畳６を枠体４の上部に組み付け、枠体４の下部に脚部５を固定し、畳６を横長の長方形型に形成すると共に、この畳６の長手方向の中央であって且つ和式の座椅子１の背面側に背もたれ２を設ける。これにより、和式の座椅子１を和室に敷設された畳面Ｔ或いはフローリング面の上で使用するに際し、両膝を左右に開き両足を組んで座面６Ａに腰を掛けたときに、両膝を開いた方向と畳６の長手方向とが同じ方向となることから、座面６Ａの長手方向の外側に膝など体の一部がはみ出さないようにした状態で座面６Ａに腰を掛けることができる。さらに、座面６Ａを構成する部材として畳６を用いているので、長時間座面６Ａに腰を掛けていても蒸れなどの不快感を抑えることができる。【選択図】図７
2008220921.tif 000002
【特許請求の範囲】
【請求項１】
背面に背もたれを備えた和式の座椅子において、水平に設けられた腰を掛けるための座面と、該座面を構成する畳を組み付けた枠体と、該枠体の下部に設けた脚部と、前記枠体に固定された前記背もたれとを備え、前記畳を横長の長方形型に形成し、該横長の長方形型の畳の長手方向の中央に該畳の長手方向の寸法よりも幅寸法を小さくした前記背もたれを設けたことを特徴とする和式の座椅子。
【請求項２】
前記畳の長手方向の寸法を５８．５センチメートル以上６５センチメートル以下としたことにより、前記畳の上であぐらを組んでも両膝が前記座面の横方向寸法をはみ出さないことを特徴とする請求項１記載の和式の座椅子。
【請求項３】
前記座面の高さ寸法を２０センチメートル以上２５センチメートル以下としたことを特徴とする請求項１又は２に記載の和式の座椅子。
【請求項４】
前記座面の座面面積に対する前記脚部の設置部の設置面積を、４．０％以上６．０％以下にしたことを特徴とする請求項１〜３の何れか１項に記載の和式の座椅子。
【請求項５】
前記設置部の設置面積は、前記枠体に一体に取り付けられた複数の脚部の設置面積を合計した値であることを特徴とする請求項４に記載の和式の座椅子。
【請求項６】
前記脚部の設置部にフェルト部材を貼り付けたことを特徴とする請求項４又は５に記載の和式の座椅子。
【請求項７】
畳敷きの和室或いはフローリングの洋室に載置して用いる和式の座椅子であって、前後方向の寸法に比較して左右方向の寸法を大きくした横長の長方形に形成した畳と、その畳面で座面を構成するように前記横長の長方形の畳を組み込むための枠体と、該枠体の後方に配置した背もたれと、前記枠体の下部に設けた脚部とを備えており、
前記枠体は、前後左右方向の４枚の枠板部から構成され、且つ、左側枠板部と右側枠板部の間を該枠板部よりも高さが低い梁部材を渡し、該梁部材の上方には中央部を空けて一対の畳保持板を載置し、該畳保持板より上方に前記畳を収容するための横長の長方形の空間部を形成して、該空間部に前記横長の長方形の畳を取替え可能としたことを特徴とする和式の座椅子。
【請求項８】
前記枠体の後方枠板部には、前記背もたれの座底部を挿入可能な開口部を形成し、前記背もたれの座底部を、前記開口部から挿入して、前記一対の畳保持板間に空いた中央部であって、前記梁部材の上方に載置したことを特徴とする請求項７記載の和式の座椅子。
【請求項９】
前記背もたれは市販の座椅子を用いて、その座底部を、前記開口部から挿入して、前記一対の畳保持板間に空いた中央部であって、前記梁部材の上方に載置したことを特徴とする請求項７又は請求項８に記載の和式の座椅子。
【請求項１０】
前記横長の長方形の畳の長手方向の寸法を、名仙判と八端判の座布団の長辺の長さに合わせて５８．５センチメートル以上６５センチメートル以下としたことにより、前記畳の上であぐらを組んでも両膝が前記座面の横方向寸法をはみ出さないことを特徴とする請求項７〜９の何れか１項に記載の和式の座椅子。
【発明の詳細な説明】
【技術分野】
【０００１】
本発明は、腰をかける和式の座椅子に関し、詳しくは、和室などに敷設された畳の上に載置して使用する和式の座椅子に関し、より詳しくは、洋室においても和室においても、洋室の場合はフローリングの上に置いて、和室の場合は畳の上において、あぐらを組む、正座する、足を投げ出して座る等々の自分が好ましい姿勢で自分の「座りの環境」を確保することができる和式の座椅子に関する。
【背景技術】
【０００２】
日本最古の椅子は弥生時代にまで遡ると言われているが、１８５３年黒船が横浜港に来航して以来、本格的に日本に入って来たものである。古く縄文・弥生時代より、朝鮮半島や中国の文化を自然に吸収して自らの特有の文化を育んできた日本人は、西欧の文化にも関心を持ち、何の抵抗も無く受け入れ現代に至っている。
【０００３】
しかしながら、一方では従来から、日本人には床や畳の上で、座ったり、横になったり、あぐらを組んだりする生活習慣がある。このような日本人の生活習慣を受け入れる畳の歴史は古く、約１２００年前に作られた日本独特のものであり、冬の厳しさと夏の暑さに対応し、開放的な日本家屋という日本の風土に合ったもので、自然の素材である畳表の井草と畳床の機能を最大限に生かした敷きのもとして愛用されてきたものである。その一方で、最近では、椅子を中心とした外国から入って来た西洋の生活習慣が、床や畳の上には座らない生活習慣として、どこの家庭でも取り入られ主流となってきている。
【０００４】
椅子は、人間の体に合わせ、使用目的に合わせて科学的・機能的に作られている。そしえ、椅子をその機能から分類すると、体をゆったりと休めるための安楽椅子、仕事をするための作業椅子（食事、事務など）、一時的に体を休める椅子等々、多くの機能で分類することができる。例えば、西洋の生活習慣においては日本人のように床や畳の上にあぐらを組んで座ったり、或いは、床面に直接寝転がったりして休憩する習慣がないことから、立ち上がっている状態から椅子に簡単に座ることができるよう、洋式の椅子の座面の高さは、人の膝の高さ程（約４５センチメートル）に設定されていることが一般的となっている。
【０００５】
日本に取り込まれてきた西洋の椅子は、特に、「座り」の日本文化を排除することもなく融合する形で侵食してきた。つまり、何の不思議もなく、畳の上にイスとテーブルを置いた生活環境が広がってきたものである。そして、椅子の形状からヒントを得て、畳の上で座るための機能を備えた座椅子と呼ばれる椅子も出現するのである。しかしながら、この座椅子にフカフカの座布団を置いて座ったとしても、何となく居心地が悪く、ましてや新聞を読んだり仕事をしたりするのには適している環境とは言えない。つまり、心地よい長時間の「日本の座りの環境」を提供してくれるものとは言えないものである。
【０００６】
椅子に関する文献は数限りないが、特許文献１及び特許文献２には、座面の高さが人の膝の高さほどになっている洋式の椅子が提案されており、椅子の座面に藤や藺草等の織成シートを用いるため枠木に織成シートを張り付けた構造が開示されている。
【０００７】
また、一般的に座椅子とよばれている椅子に関する文献も多く、特許文献３には、背、座、脚により構成され、脚をはずして座椅子にもなる折たたみ椅子が開示されている。また、特許文献４には、現代日本では、洋風の生活に慣れて正座する機会が少ない、それ故に長時間正座するのは非常に辛いことから、長時間正座をしても、足が痛くならず痺れる事もなく座れる様にする正座椅子が開示されている。
【０００８】
さらに、特許文献５には、上面に畳、カーペット、硬質マットレスなどやその他のこれらと類似の敷物を取り付け、野外において寝そべって休息することが出来る畳縁台が開示されている。
【０００９】
また、部屋そのものの構造を変更して家族の団欒を図ろうとする技術として、特許文献６には、床面の高さを違えることによって、第１の部屋空間と第２の部屋空間とに区切るとき、両部屋空間を利用して家族の団欒を図る技術が開示されている。
【００１０】
さらに、非特許文献１には、「タタミ・ベンチ」という名称で、キャスターつきの移動可能台の上に畳を載せて隣り合う２つの面にクッションを取り付け、さらに小さなテーブルも取り付けた椅子が開示されている。
【００１１】
【特許文献１】特開昭６０−６０８１４号公報
【特許文献２】特開昭５９−１３７００８号公報
【特許文献３】実用新案公開平９−５０３号公報
【特許文献４】特開平１１−２９０１５７号公報
【特許文献５】特開平８−９８７４４号公報
【特許文献６】特開平８−１８４２０１号公報
【非特許文献１】「現代の家具と照明  デザイナーズ・ブランド・コレクション」第195頁  鹿島出版会  1997年5月30日  第８刷発行
【発明の開示】
【発明が解決しようとする課題】
【００１２】
しかし、特許文献１などで開示されている洋式の椅子において達成できないものは畳の上の座りの環境と日本文化で醸造されてきた家庭の団欒である。つまり、本発明の課題とするところは、畳の上での座りの生活をして来た日本人に対して、畳の暖かさと井草の香りの中でゆったりとした時間を過ごすことができ、疲れない心地の良い座りの環境を提供しようというものである。
【００１３】
西洋の椅子は、人間の体に合わせ、使用目的に合わせて科学的・機能的に作られているものであるが故に、逆にその使用目的に反した使い方には不向きのものである。それに対して、畳の上での生活は、広い畳敷きの日本間のどこにでも自分の居所を定めて、そこに自分の気にあった姿勢で、正座をしたり、女座りをしたり、あぐらを組んだり、ゴロッと横になったりすることができる極めて柔軟性の高いものであり、この柔軟性の高さこそが日本文化の特徴であった。また、畳に座ることにより、立った姿勢や、洋風の椅子に座った姿勢よりも目線が低くなり、そこに集う子供たちとの目線が等しくなって、家族の団欒が図れるものであり、これも本発明の解決しようとする課題である。
【００１４】
蕎麦は荒地に花を咲かせ、力強く育ち、日本の食文化に花を添える食物である。本発明者は、蕎麦の魅力に取り付かれ、蕎麦を打つようになった。そして、蕎麦を食べるときは畳の暖かさの中で食べたいと思うし、蕎麦を肴に仲間と酒を酌み交わすときは、畳の井草表の香りの中で時間を過ごしたいと思う。このように、「和の心地の良い座り」を実現したいと願うものである。妻からは「あなたも歳だからヨ」と言われたとしても、「洋の椅子」ではなく、座椅子でも座布団でもなく、畳の上に座ったときのように日本人の心を解放する心地良い環境を提供するものが欲しい。確かに、畳の上に座ることでは苦しい思い出もある。今では知っている人さえ少なくなったが、学校の礼法室に座って感じた足のシビレと立ったときの開放感は忘れられない。それでも、日本人のＤＮＡには、畳の上で座ることに心の安らぎを感じる何かが組み込まれているように思う。
【００１５】
武家社会で確立された日本人の畳の上での座りの生活から、畳の上に椅子を置く生活へとシフトし、更には、フローリングに代わり、日本家屋の中に畳すらも忘れ去られようとしている。昔の畳の上での生活には、「ちゃぶ台」の周りに家族の憩いがあったように思う。子供との目線は近く、会話も近かった。だから、父親に真正面に座られると何か言われるのではないかと心が落ち着かないことも覚えている。しかし、一旦、畳に座ると簡単には立ち上がれない。立ち上がるにはそれなりの覚悟が必要になる。故に、この立ち上がりにくさが畳に座ることで心に落ち着きを与え、向かい合って座った人々の間に会話を促進させる効果もあるのである。このように、日本人の心が求めているものが「和式の座りの環境」にあると考える。これに対して、矩形のテーブルと洋式の椅子に座ると活動的で、すぐに立ち上がることができ、畳の上に座る生活とは対照的なものである。しかし、本願発明者は、座りの文化を見直し、正座やあぐらを組んで畳の上で生活する日本人の美しく思慮深い淑やかな環境を取り戻したいと考えている。このように「洋」の椅子文化に押された日本の居間に、古来より日本で培われてきた畳文化の「座り」を取り戻すことが本発明の課題である。
【００１６】
椅子は、いずれも体を支える使用目的があり、その使用目的に沿って合理的・人間工学的に設計されたものである。従って、人間の体をより良くサポートし美しく、機能的で、より使いやすく作られている。それに対して、日本人古来の「座り」の生活をそのまま受け入れるためには、正座することができて、あぐらを組むことができて、足を伸ばして腰を掛けて座ることができる環境を提供するものでなければならない。これは、明らかに洋式の椅子とは異なるものである。
【００１７】
また、洋式の椅子は和室などに敷設された畳の上に配置するには不向きである。すなわち、洋式の椅子は床板（フローリング）などに載置されることが前提で製造されていることから、脚部の下端面の設置面積(設置面積とは、椅子或いは本発明の和式の座椅子が畳の上或いは床板の上に設置された際に、脚部の下端面(設置部)が畳面或いは床板面と接触する面積を言う)が比較的小さく形成されているので、洋式の椅子を畳の上に載置した状態で人が繰り返し立ったり座ったりして使用すると、畳の上面の藺草などの繊維質に脚部の下端が食い込んでしまい畳の表面が傷付いてしまう。また、座面に藺草等の織成シートを採用した特許文献１では、織成シートは枠木に貼り付けている構造であることから、織成シートの表面が傷んだ際、枠木と繊維シートとからなる座面部材全体を交換しなければならず、消耗品となる座面部材を入手できない場合には、椅子としても利用できなくなってしまうといった懸念がある。
【００１８】
本発明は、前述した課題を解決するものであり、洋室に置いても和室に置いてもよく、洋室に置いた場合は、洋室内に「和式の座りの環境」を作り上げ、また和室に敷設された場合には、子供や孫と同じ目線で生活していた従来の畳の上での日本風な生活環境を取り戻し、また、畳の上で椅子を使用する際の畳が傷付いてしまうといった不具合をも防止することができ、また、自分の好みの姿勢で、自由で心地よい快適時間を過ごすことができる「和式の座りの環境」としてのものに使用することができる和式の座椅子を提供することを目的とする。
【課題を解決するための手段】
【００１９】
本発明の請求項１の和式の座椅子は、背面に背もたれを備えた和式の座椅子において、水平に設けられた腰を掛けるための座面と、該座面を構成する畳を組み付けた枠体と、該枠体の下部に設けた脚部と、前記枠体に固定された前記背もたれとを備え、前記畳を横長の長方形型に形成し、該横長の長方形型の畳の長手方向の中央に該畳の長手方向の寸法よりも幅寸法を小さくした前記背もたれを設けたことを特徴とする。
【００２０】
請求項１の構成により、和式の座椅子を畳の上で使用するに際し、和式の座椅子の背面に備えた背もたれによりかかるなどして、両膝を左右に開き両足を組んだあぐらの状態で座面に座った際、畳の長手方向が両膝を左右に開いた方向と同じ方向となることから、座面の長手方向の外側に膝など体の一部がはみ出さないようにした状態で座面に腰を掛けることができ、さらに座面を構成する部材として畳を用いているので、長時間座面に腰を掛けていても蒸れなどの不快感を抑えることができる。
【００２１】
本発明の請求項２の和式の座椅子は、請求項１に記載の和式の座椅子において、前記畳の長手方向の寸法を５８．５センチメートル以上６５センチメートル以下としたことにより、前記畳の上であぐらを組んでも両膝が前記座面の横方向寸法をはみ出さないことを特徴とする。
【００２２】
請求項２の構成により、日本人の平均的な身長を考慮し、畳の長手方向の寸法を５８．５センチメートル以上６５センチメートル以下としたことで、日本人のほとんどの人が、あぐらを組んで座面に座ったとしても、座面の外側に体の一部（足など）がはみ出さないようにした状態で和式の座椅子に座ることができると共に座面を構成する部材として畳を用いているので、長時間座面に腰を掛けていても蒸れなどの不快感を抑えることができる。
【００２３】
本発明の請求項３の和式の座椅子は、請求項１又は２に記載の和式の座椅子において、前記座面の高さ寸法を２０センチメートル以上２５センチメートル以下としたことを特徴とする。
【００２４】
請求項３の構成により、洋式の椅子のように座面の高さが高くならないように、座面の高さ寸法を、２０センチメートル以上２５センチメートル以下の低い寸法としたので、本発明の和式の座椅子が簡単に転倒してしまうことを防止することができる。よって、高年齢者や足腰に不自由をかかえている人であっても安心して和式の座椅子に腰を掛けたりすることができる。
【００２５】
本発明の請求項４の和式の座椅子は、請求項１〜３の何れか１項に記載の和式の座椅子において、前記座面の座面面積に対する前記脚部の設置部の設置面積を、４．０％以上６．０％以下にしたことを特徴する。
【００２６】
請求項４の構成により、人が座るための座面の座面面積を１００％とした場合に、和室などに敷設された畳の上面或いはフローリングの床面と接触する設置部の設置面積を４．０％以上６．０％以下にすることで、本発明の和式の座椅子に備えた、例えば１つ又は２つ以上の脚部の設置面積を広く採ることができるので、和室などに敷設されている畳の上に和式の座椅子を載置した状態で、座面に繰り返し座ったりしても、洋式の椅子のように設置面積が小さくないので、畳の表面が傷付くことを防止することができる。
【００２７】
本発明の請求項５の和式の座椅子は、請求項４に記載の和式の座椅子において、前記設置部の設置面積は、前記枠体に一体に取り付けられた複数の脚部の設置面積を合計した値であることを特徴とする。
【００２８】
請求項５の構成により、２つ、３つ、或いは４つなどの複数の脚部を備えた和式の座椅子であっても、和室などに敷設された畳の上面に接触される複数の脚部の設置面積の合計値を４．０％以上６．０％以下の範囲とすることで、座面に繰り返し座ったりしても、洋式の椅子のように設置面積の合計値が小さくはならず、広いものとなることから、畳の表面に設置部が食い込むことを抑えることが可能となり、畳の表面に傷が付くことを防止することができる。
【００２９】
本発明の請求項６の和式の座椅子は、請求項４又は５に記載の和式の座椅子において、前記脚部の設置部にフェルト部材を貼り付けたことを特徴とする。
【００３０】
請求項６の構成により、和室などに敷設された畳の上で和式の座椅子に腰を掛けた際、この畳と接触する設置部にフェルト部材が介在するので、より一層畳の表面に傷が付くことを防止することができる。
【００３１】
本発明の請求項７の和式の座椅子は、畳敷きの和室或いはフローリングの洋室に載置して用いる和式の座椅子であって、前後方向の寸法に比較して左右方向の寸法を大きくした横長の長方形に形成した畳と、その畳面で座面を構成するように前記横長の長方形の畳を組み込むための枠体と、該枠体の後方に配置した背もたれと、前記枠体の下部に設けた脚部とを備えており、前記枠体は、前後左右方向の４枚の枠板部から構成され、且つ、左側枠板部と右側枠板部の間を該枠板部よりも高さが低い梁部材を渡し、該梁部材の上方には中央部を空けて一対の畳保持板を載置し、該畳保持板より上方に前記畳を収容するための横長の長方形の空間部を形成して、該空間部に前記横長の長方形の畳を取替え可能としたことを特徴とする。
【００３２】
請求項７の構成により、日本人古来の「座り」の生活をそのまま受け入れ、正座することができて、あぐらを組むことができて、足を伸ばして腰を掛けて座ることができる環境を提供できる和式の座椅子を得ることが可能となる。
【００３３】
本発明の請求項８の和式の座椅子は、請求項７に記載の和式の座椅子において、前記枠体の後方枠板部には、前記背もたれの座底部を挿入可能な開口部を形成し、前記背もたれの座底部を、前記開口部から挿入して、前記一対の畳保持板間に空いた中央部であって、前記梁部材の上方に載置したことを特徴とする。
【００３４】
本発明の請求項９の和式の座椅子は、請求項７又は請求項８に記載の和式の座椅子において、前記背もたれは市販の座椅子を用いて、その座底部を、前記開口部から挿入して、前記一対の畳保持板間に空いた中央部であって、前記梁部材の上方に載置したことを特徴とする。
【００３５】
本発明の請求項１０の和式の座椅子は、請求項７〜９の何れか１項に記載の和式の座椅子において、前記横長の長方形の畳の長手方向の寸法を、名仙判と八端判の座布団の長辺の長さに合わせて５８．５センチメートル以上６５センチメートル以下としたことにより、前記畳の上であぐらを組んでも両膝が前記座面の横方向寸法をはみ出さないことを特徴とする。
【００３６】
請求項８、請求項９及び請求項１０の構成により、より心地よい「和式の座りの環境」が提供できるものである。
【発明の効果】
【００３７】
本発明は、畳を基調とした古来の日本人の住まいの環境と家族の団欒を取り戻すものであり、それは、家族が集まる居間に畳の上での「和式の座りの環境」を提供するものである。現在は、どこの家でも洋間が居間になっている。そして、日本間は、機能的で活動的であるという点では、洋間に勝てない。しかしながら、昨今の日本では、本来の日本人の心をどこかに置き忘れてしまったのではないかと心配するほどである。しかし、本発明の和式の座椅子によって、日本人のＤＮＡとして脈々と受け継いがれてきた畳の上に座る文化を取り戻すことができるものであり、これが、本発明の最大の効果である。
【００３８】
そして、より具体的には以下のような効果を挙げることができる。
（１）朝の新聞は、本発明の「和式の座椅子」に座り、約１時間或いはそれ以上も、あぐらを組んで、ゆったりと読みふけることができる。これにより、実に快適な時間を過ごすことができるものである。
（２）本発明の「和式の座椅子」に合った「テーブル卓」も用意することにより、朝夕の食事は、昔の「ちゃぶ台」を取り戻すことができて心地よい場所となる。
（３）テレビとの目線が合い違和感がなくなる。洋式の椅子に座ってのテレビは、見下ろして見ていたが、何故か疲労感が出てくるものであった。故に、いつも食事後は椅子から降りて床に座って見ているのが現状であったが、本発明の「和式の座椅子」では、座り続けてゆっくりと見ることができる。今までは、子供も、テレビの前で床に座って顔を上げて見ていたが、本発明の「和式の座椅子」では、自然な目線でゆっくりと座って見ることができる。
（４）本発明の「和式の座椅子」は、自分の居場所として環境を確保することができ、家族と共通した時間を過ごすことができる。孫、子供、親、親父と目線を同じくし、会話の弾む環境を作ることができる。
（５）座布団のように重ねてしまえるよう、スタッキングが可能に設計することにより、部屋を有効に使うことができる。
（６）現在の日本の家屋では、高さ７０ｃｍ程度の洋式のテーブル、洋式の椅子、ソファー、そして、高さ３８ｃｍ程度の和式のテーブル、座椅子、座布団等々が不規則に置いてあるのが実状であり、夫々の場所の設定に苦慮しており、そこに大勢集まると和洋のテーブルが混在するために、集いの空間としては極めて使い勝手の悪い空間になっているのが現状である。そこで、本発明の「和式の座椅子」に合った「テーブル卓」も用意することにより、そんな問題点を解決してくれるものであり、この「テーブル卓」と「和式の座椅子」を、和室の居間でも、洋室の居間でもセットしておけば、人数が多くなっても安心して共用して利用することができる。
【００３９】
本発明の請求項１の和式の座椅子によれば、背面に背もたれを備えた和式の座椅子において、水平に設けられた腰を掛けるための座面と、該座面を構成する畳を組み付けた枠体と、該枠体の下部に設けた脚部と、前記枠体に固定された前記背もたれとを備え、前記畳を横長の長方形型に形成し、該横長の長方形型の畳の長手方向の中央に該畳の長手方向の寸法よりも幅寸法を小さくした前記背もたれを設けたものであり、これにより、座面の外側に下半身がはみ出さないようにした状態で和式の座椅子に座ることができるので、日本人の平均的な身長の男性やそれより身長の大きくない女性などがあぐらを組んで和式の座椅子の座面に腰を掛けた際に、快適に過ごすことが可能となる。さらに、座面を構成する部材として畳を用いているので、長時間座面に腰を掛けていても蒸れなどの不快感を抑えることができる。
【００４０】
本発明の請求項２の和式の座椅子によれば、請求項１の記載において、前記畳の長手方向の寸法を５８．５センチメートル以上６５センチメートル以下としたものである。この条件は日本人の平均的な身長を考慮し、畳の長手方向の寸法を５８．５センチメートル以上６５センチメートル以下の範囲では、日本人の多くの人が、あぐらを組んで座面に座ったとしても、座面の外側に体の一部がはみ出さないようにした状態で和式の座椅子に座ることが可能となる。
【００４１】
本発明の請求項３の和式の座椅子によれば、請求項１又は２の記載において、前記座面の高さ寸法を２０センチメートル以上２５センチメートル以下としたので、座面の高さを低くすることで、和式の座椅子が転倒してしまいケガを負ったりすることを防止することができる。さらに特に高年齢者や足、膝、腰などの体に苦痛をかかえている人であっても高さの低い和式の座椅子に容易に腰を掛けてくつろぐことができる。従って、ひいては体調を和らげることができ快適性に優れる。
【００４２】
本発明の請求項４の和式の座椅子によれば、請求項１〜３の何れか１項の記載において、前記座面の座面面積に対する前記脚部の設置部の設置面積を、４．０％以上６．０％以下にしたものであり、和室などに敷設された畳の上で和式の座椅子を使用した際、脚部の設置面積を広く採ることができるので、敷設された畳の表面に傷が付いてしまうことを防止することができる。
【００４３】
本発明の請求項５の和式の座椅子によれば、請求項４の記載において、前記設置部の設置面積は、前記枠体に一体に取り付けられた複数の脚部の設置面積を合計した値であり、和室などに敷設された畳の上で和式の座椅子を使用した際、脚部の設置面積を広く採ることができるので、敷設された畳の表面に傷が付いてしまうことを防止することができる。
【００４４】
本発明の請求項６の和式の座椅子によれば、請求項４又は５の記載において、前記脚部の設置部にフェルト部材を貼り付けたので、敷設された畳の表面に傷が付くことをより一層防止することができる。
【００４５】
本発明の請求項７の和式の座椅子によれば、日本人古来の「座り」の生活をそのまま受け入れ、正座することができて、あぐらを組むことができて、足を伸ばして腰を掛けて座ることができる環境を提供できる和式の座椅子を得ることが可能なものである。
【００４６】
本発明の請求項８、請求項９及び請求項１０の和式の座椅子によれば、より心地よい「和式の座りの環境」が提供できるものである。
【発明を実施するための最良の形態】
【００４７】
本発明の和式の座椅子は、洋式の椅子でではなく、従来の座椅子でもなく、座布団でもなく、畳と融合した日本人の座る場所であり、心地良く座って過ごせる環境そのものである。それは、畳を基調とし、桐材を使用し、背もたれは市販の座椅子をそのまま使用したものである。従来の市販の座椅子は日本間に欠かせないくらい愛用されおり、クッションの良さ、シンプルさ、それに木製品と思われないくらいの弾力性は本発明の和式の座椅子に調和しているものである。
【００４８】
日本人には畳生活のＤＮＡが受け継がれて来ており、日本の座りの生活習慣から生まれたものが本発明の和式の座椅子である。椅子の生活は活動的であるが、本発明の和式の座椅子は静かで安定してゆったりとしたものである。座るときには体を曲げて手を着き、体を安定させる必要がある。立ち上がるときも手を着き、体を起こす必要がある。このように、動作は俊敏とは言えないものであるが、本発明の和式の座椅子に落ち着くと時間を忘れて座ってユックリと過ごすことができるものである。つまり、本発明の和式の座椅子の求めているものは、日本間のように安定した、ゆったりと心ほぐすことが出来る居心地の良い「和式の座りの環境」である。
【００４９】
以下、本発明を実施するための最良の形態としての一つの実施例を図１〜図１１に基づき以下に説明する。
【００５０】
図１は本発明の一例の和式の座椅子を示す正面図、図２は和式の座椅子を示す側面図、図３は和式の座椅子を示す背面図、図４は和式の座椅子を示す断面図、図５は和式の座椅子を示す斜視図、図６は座面部材たる畳を取り外した状態を示す和式の座椅子の概略斜視図、図７は和式の座椅子に腰を掛けた状態を示す正面図、図８は和式の座椅子に腰を掛けた状態を示す側面図、図９は和式の座椅子に腰を掛けた状態で足を前方に伸ばした状態を示す側面図、図１０は和式の座椅子を移動するために後方に傾斜させた状態を示す説明図、図１１は和式の座椅子の枠体の構成を示す斜視図である。
【００５１】
図１〜図９に示すように、本実施例における和式の座椅子１は、人がよりかかるための背もたれ２、この背もたれ２の一端側が固定手段たる釘３（釘以外の固定手段であっても良い）によって取り付けられた枠体４、枠体４の下部に一体に取り付けられた４つの脚部５（脚部は必ずしも４つである必要はなく、枠体が安定して置かれれば良い）、及び枠体４の上部に組み付けられた人が座るための平板状の畳６を備え、枠体４の下方に突設された４つの脚部５は角柱状（必ずしも角柱状である必要はなく、円柱状や底面が所定の載置面を備えた球形状でも良い）に形成されており、和室などに敷設されている平面状の畳面Ｔの上に脚部５の下端側が載置されるものである。当然のことながら、フローリングの洋室の居間に置くこともできる。この背もたれ２は、一般に市販されている木製の座椅子をそのまま用いることが便利である。
【００５２】
なお、和式の座椅子１を構成する背もたれ２、枠体４、４つの脚部５の各々は、材質が全て木製となっており、これらは釘などにより一体に組み付けられている。この木材は、桐材が好ましい。桐材は、家具材として優れており、日本では、昔から女の子が生まれたら桐の木を植えて娘と共に大事に育て、その娘がお嫁に行くときは、桐の木を切ってタンスとして持たせる風習があった。本発明の和式の座椅子１は、そんな暖かさを持つ最高の木材の桐材を畳と共に使用したものである。また、前記脚部５の４辺の寸法（４辺は全て同寸法）は、一辺が５．５センチメートル以上となっており、これにより、和式の座椅子１を畳の上に置いても、畳面Ｔにへこみ等を作ることがなく使えるものである。また、あまりに大きいと、かえって使い勝手が良くないので、６．５センチメートル以下となっている。
【００５３】
以下、和式の座椅子１の前後左右を表現する場合には、図５に示す状態で、「前方」或いは「前面側」、「後方」或いは「背面側」、「右側面側」、「左側面側」と表現することとする。また、原則的に上下方向を表現する場合にも、図５の状態で表現することとする。
【００５４】
図６及び図１１から、より明瞭であるように、枠体４は、上方から視ると外観形状が横長の長方形型を成しており、その内側に形成された長方形型の開口部９の形状に対応して長手方向（和式の座椅子１の左右方向）が５８．５センチメートル、これと直交する短手方向（和式の座椅子１の前後方向）が５１．０センチメートルの長方形型の畳６が組み付けられており、畳６の短手方向の寸法を１００％とした場合、畳６の長手方向の寸法は、約１１５％（縦横比１．１５：１）となっている。この畳６の５１．０×５８．５センチメートルという寸法は、日本人の平均的寸法として本発明者自身の体格から導き出したものである。つまり長手方向の５８．５センチメートルは、あぐらを組んだときの左右の膝の外側を測った寸法であり、短手方向の５１．０センチメートルは、畳６の中心部にあぐらを組んで座ったときの膝の前部から背中面までの距離から算出したものである。
【００５５】
枠体４の詳細な構成を、図１１を用いて説明する。枠体４の外観形状は組み合わされた４枚の枠板部１０Ａ、１０Ｂ、１０Ｃ及び１０Ｄから成り、上方から視ると外観形状が横長の長方形型を成しており、その内側に形成された長方形型の開口部９を形成している。左側枠板部１０Ｃと右側枠板部１０Ｄの間を該枠板部１０Ｃ、１０Ｄよりも高さが低い梁部材８、８を渡し、梁部材８、８の上端面には中央部を空けて一対の畳保持板１５，１５を載置し、畳保持板より上方に前記畳を収容するための横長の長方形の空間部を開口部９として形成しているものである。これによって、開口部９内に横長の長方形の畳６を取替え可能に組み込むことができるものである。
【００５６】
後方枠板部１０Ｂの中央部付近には、背もたれ２の座底部２Ｂを挿入可能な開口部１４を形成している。この開口部１４は、その開口部下面が梁部材８、８の上端面と実質的に同じ高さとなるように形成され、その幅方向の寸法は、背もたれ２の幅方向の寸法と実質的に同じ寸法となるように形成され、開口部１４の高さ方向の寸法は、背もたれ２の座底部２Ｂの厚みと実質的に同じ寸法となるように形成されている。背もたれ２の座底部２Ｂは、後方枠板部１０Ｂの開口部１４から挿入され、一対の畳保持板１５，１５間に空いた中央部であって、梁部材８、８の上方に載置され、釘３，３等の適当な固定手段によって梁部材８、８に固定される。これにより、図６に示すように、一対の畳保持板１５，１５の上面と背もたれ２の座底部２Ｂの上面とが、実質的に同一平面状に位置し、畳６を組み込むための長方形型の開口部９を形成する。図６の背もたれ２の座底部２Ｂには円形の開口１９が形成されているが、これは、市販の座椅子によく空いているものであり、市販の座椅子を背もたれ２として利用しているが故であるが、この開口は、利用者が畳６の上にあぐらを組んで座る等すると人体が丁度この近辺に位置して、畳６の通気に役立つようになっている。
【００５７】
ここで、畳の寸法は、日本人の生活の中に溶け込んでいる座布団の寸法とも関係して決められているものであるが、座布団の寸法には３種類の寸法があり、具体的には、座布団カバーとして一番多い寸法である名仙判（５５×５９センチメートル）、客座布団として最適寸法の八端判（５９×６３センチメートル）、そして、仏前座布団としても用いられている部屋座布団（６８×７５センチメートル）があることは広く知られている（出展：http://www.maruokafuton.com/を参考）。座布団が日本人の生活の中に溶け込んで今日まであるのはそれなりの意味があるものであり、そこで、本発明の和式の座椅子１の畳６の寸法は、座布団カバーとして一番多い寸法である名仙判（５５×５９センチメートル）に準じて決定するのが好ましいと判断される。とすると、畳６の長手方向の寸法としては５９センチメートル程度が好ましい。これに対して、短手方向の寸法を名仙判の寸法である５５センチメートルにすると、特に、女性が座る（腰を掛ける）場合に前に足を投げ出して座る場合が多いために、背もたれ２までの距離が大きくなりすぎ、背もたれ２が遠いという感覚を受ける。そこで、本発明の和式の座椅子１においては、特に望ましい短手方向の寸法として５１センチメートルとした。
【００５８】
また、畳６の上面である人の腰を掛ける水平な座面６Ａの高さ寸法は、２０センチメートル以上２５センチメートル以下となっており、より詳しくは２１センチメートルとなっている。また、この点を実用の面、特に、女性があぐらを組まずに足を投げ出して座ることを考えた座り易さの面から検討すると、座面６Ａの高さ寸法は、より好ましくは、２５センチメートルである。
【００５９】
既に説明しているように、和式の座椅子１の背面側であって且つ畳６の長手方向の中央には背もたれ２が設けられており、人一人が座面６Ａの中央に座った際に、背もたれ２の中央に安定した状態で寄りかかれるようになっている。それには、後ろに寄りかかることのない座布団の奥行き方向の寸法より少し小さめにする方が好ましい。なお、本実施例における背もたれ２の位置は、畳６の長手方向の中央（用語の「中央」には、略中央も含むものと定義する。）に配置されており、畳６の長手方向寸法（５８．５センチメートル）よりも背もたれ２の幅寸法（畳の長手方向と同方向）は、３２センチメートル以上３７センチメートル以下の範囲となっているので小さい寸法のものである。この背もたれ２の幅寸法は、これ以上に大きくしても特に悪くはないが、製品製造コスト上の問題から、より簡便に製造するためには、容易に市場から購入できる既成の座椅子の背もたれをそのまま利用するのが便利であり、そのために、背もたれ２の幅寸法は市販の製品の寸法によって決められる。
【００６０】
また、枠体４の四隅に位置する内壁面には脚部５が、図示しない釘や螺子により、固定されており（当然、釘等を用いずに家具を組み立てるための一般的技術である組み込み式としても良いし、接着剤による固定方法を採用しても良い）、また、脚部５の下端には、部屋の畳面或いはフォローリングを痛めないために、フェルト部材１１が構成されている。
【００６１】
図２及び図３に示すように、和式の座椅子１の背面側に配置されている２つの脚部４の各々の背面には、和式の座椅子１の背面側に突出して回動自在に軸支された木製のローラ１２を構成したキャスター１３が固定されており、和式の座椅子１を後方側に傾斜させた状態でキャスター１３のローラ１２のみが畳面或いはフローリング面Ｔなどの床面に接触するようになっている。
【００６２】
次に上記構成に係る和式の座椅子の使用方法、及び和式の座椅子を使用する標準的な日本人の体型についてもあわせて以下に説明する。
【００６３】
日本人の標準体型の近年のデータ（厚生労働省平成１６年国民健康・栄養調査報告より）によれば、日本人の標準体型として、２０代の男性の身長は１７２．２センチメートル、２０代女性の身長は１５８．８センチメートルとなっており、成人全体の平均的な身長は、男性が１６７．１センチメートル、女性が１５３．７センチメートルとなっている。
【００６４】
さらに、図７〜図９に基づき説明すると、身長が１６７．１センチメートルの標準的な身長を有する男性（以下、単に男性と称す)が、本実施例の和式の座椅子１にあぐらを組んで腰を掛けた状態を図７及び図８に、足を前方に伸ばして腰を掛けた状態を図９に図示している。
【００６５】
図７に示すように、男性が畳６の上面に位置する座面６Ａに両足を折りたたんで左右に膝を開いたあぐらを組んで腰を掛けた状態においては、畳６の長手方向の寸法を好ましくは５８．５センチメートル以上６５センチメートル以下の範囲、具体的には５８．５センチメートル或いは５９センチメートルとしたことにより、座面６Ａの長手方向（図７に示す左右方向）の寸法内に男性のあぐらを組んだ左右の膝が納まっており、また、図８に示すように、畳６の短手方向（図８に示す左右方向）の寸法を、標準的な座布団の奥行き寸法より小さめな５１センチメートルとすれば、座面６Ａの短手方向（図８に示す左右方向）の寸法内にも男性が納まった上に、丁度、背中が背もたれ２の背もたれ部２Ａにもたれることになる。つまり、畳６の寸法を前述した寸法の横長の長方形型とすることで、男性があぐらを組んで和式の座椅子１の座面６Ａに腰を掛けても、男性は和式の座椅子１の内側に納まった状態で座ることが可能となる。なお、前述した標準的な身長を有する女性については、男性の標準身長よりも大きくないことから男性が和式の座椅子１の座面領域内に納まるのであれば、同様に女性も納まることが可能であることから、日本人の過半数以上の大多数の人が座面６Ａの範囲内に納まることができる。
【００６６】
前述したように、日本人の生活の中に溶け込んでいる座布団の３種類の寸法は、名仙判が５５×５９センチメートル、八端判が５９×６３センチメートル、そして、部屋座布団が６８×７５センチメートルであり、畳６の長手方向の寸法を好ましくは５８．５センチメートル以上６５センチメートル以下の範囲としたことは、本発明の和式の座椅子１には、部屋座布団ほどの大きさは必要としないが、大きめのサイズである八端判の６３センチメートルから標準的な名仙判の５９センチメートル程度が好ましいものとした所以である。
【００６７】
図９は男性が足を前方に投げ出した（伸ばした）状態で和式の座椅子１に腰を掛けたものであり、この掛け方は、特に、女性に多く見られるものである。このようにしてリラックスした状態で和式の座椅子１に腰を掛けたくなった場合や、或いは、長時間に亘って同じ姿勢であぐらを組んでいた人が姿勢を変えたくなった際、畳面Ｔ或いはフローリング面や床板などの平坦な床に和式の座椅子１を使わずに直接座った際には、安定した状態で体を支えるには肉体的な負担を感じたりするものではあるが、座面６Ａの高さ寸法を２０センチメートル以上２５センチメートル以下、好ましくは２１センチメートルとして低くすることで、男性が座面６Ａに腰を掛けながら膝を自然に曲げて足の先端側を畳面Ｔ或いはフローリング面に接触させた状態で楽な姿勢を保つことが可能となる。さらに、洋式の椅子のように座面が高くないので和式の座椅子１の座面６Ａに腰を掛けている状態で和式の座椅子１が倒れてしまう不具合も解消され安全性に優れる。また、特に、女性が、図９に示すような座り方で前に足を投げ出して座るのではなく、左右斜めに足を曲げて座る場合には、座面６Ａの高さ寸法は、２１センチメートルとして低くするよりも、２５センチメートルとして高くする方が都合良い高さになる。
【００６８】
また、図１０は、本発明の和式の座椅子１の前方を持ち上げ、後方に傾斜させた状態で和式の座椅子１を移動している状態を示している。本実施例における和式の座椅子１の前方を持ち上げた際には、図１０に示すように、畳面Ｔ或いはフローリング面の上面にキャスター１３のローラ１２のみが接触し、ローラ１２が和式の座椅子１の移動に伴い回転することによって、和式の座椅子１を所望の位置に自由且つ簡便に移動することができるので利便性に優れ、さらに、和式の座椅子１の背面側にキャスター１３が配置されていることから、和式の座椅子１を正面側から視た際には、キャスター１３は脚部５の背面側に隠れることよって和式の座椅子１に腰を掛けた人の対面にいる相手側にキャスター１３が見えないようになっているので美観的にも優れるものである。
【００６９】
また、畳面Ｔ或いはフローリング面に接触する設置部７の設置面積を、畳６の座面６Ａ面積に対し広く採っていることで、畳面Ｔ或いはフローリング面の上で和式の座椅子１を繰り返し使用した場合であっても、畳面Ｔ或いはフローリング面の表面に脚部５の下端側が食い込んだりして畳面Ｔ或いはフローリング面を傷付けてしまうことを防止することができる。
【００７０】
さらに、脚部５の下端にフェルト材１１（当然のことながら、ゴム材でも良い）を貼り付けることで、畳面Ｔ或いはフローリング面と脚部５との間にフェルト部材１１が介在することになるので、より一層、畳面或いはフローリング面を傷付けてしまうことを防止することができる。脚部５の下端にゴム材を貼り付けた場合には、フローリング面Ｔに対してスベリ防止効果を奏することができる。
【００７１】
さらに、人が腰を掛ける座面部材として畳６を採用することで、座面６Ａに長時間に亘り腰を掛けても蒸れたりすることも解消でき、適度な弾性もあり、また、消耗材として単独で取り引きすることが可能な着脱自在な畳６を枠体４に組み付けられているので、畳６が劣化しても新しいものに簡単に取り替えることができる。このように、畳６が劣化した場合に新しい畳に簡単に取り替えられるようにするためには、着脱自在な畳６の寸法を、例えば、５１．０×５８．５センチメートル或いは５５×５９センチメートル等として企画化することが必須である。畳６の座面６Ａの弾性力は、枠部４の横長の長方形の空間部である開口部９の底面を形成する一対の畳保持板１５，１５及び背もたれ２の座底部２Ｂの強度（厚み等）であり、それを支える梁部材８、８の強度でもある。その強度を高めるためには一対の畳保持板１５，１５の上或いは下に、横長の長方形型の開口部９と実質的に同一寸法の補強板１６を設ければ良く、本実施例における補強板１６（図１１では補強板１６等は図示せず省略している。）は畳保持板１５，１５の下に設けられている。
【００７２】
以上のように、本実施例における和式の座椅子１によれば、日本人の標準体型を考慮し、人が腰を掛けるための座面６Ａを構成する畳６が上部の開口部９内に組み付けられた枠体４、枠体４の下部に設けた脚部５、及び釘３で枠体１に一体に固定した背もたれ２を備え、畳６を上方から視た状態において畳６を長方形型に形成し、この横長の長方形型の畳６の長手方向の中央であって且つ和式の座椅子１の背面側に背もたれ２を設けたものである。この背もたれ２は、図４及び図６に示すように、座る人の背中の形状に合うような曲面を有した背もたれ部２Ａと平面状の座底部２Ｂとから成り、背もたれ部２Ａと座底部２Ｂは連続的に繋がった形状であり、通常は複数枚の張り合わせ合板から作られる。この背もたれ２は、枠体４を構成する後方枠板部１０Ｂの背もたれ２を挿入するための開口部１４（図１１に明瞭に示されている）から座底部２Ｂが挿入されている。
【００７３】
これにより、和式の座椅子１の背面に備えた背もたれ２によりかかりながら、両膝を左右に開き両足を組んだ、つまりあぐらを組んだ状態で座面６Ａに座った際に、両膝を左右に開いた方向が畳６の長手方向と同じ方向となることから、座面６Ａの長手方向外側に足などの体の一部がはみ出さないようにした状態で和式の座椅子１に座ることができる。すなわち、日本人の平均的な身長の男性、それと同等の身長の女性、及び、これらより身長の大きくない女性など日本人の大多数の人（過半数以上の人）があぐらを組んで和式の座椅子１に腰を掛けたとしても、和式の座椅子１の座面６Ａから落下しそうになったりするなどして不快な思いをすることなく快適に過ごすことが可能となる。さらに、座面６Ａを構成する部材として藺草等を使用した畳６を用いているので、長時間座面６Ａに腰を掛けていても蒸れなどの不快感を抑えることができる。
【００７４】
さらに、日本人の平均的な身長を考慮し、畳６の長手方向の寸法を５８．５センチメートル以上６５センチメートル以下としたことで、日本人のほとんどの人が、あぐらを組んで座面６Ａに座ったとしても、座面６Ａの長手方向外側に体の一部がはみ出さないようにした状態で和式の座椅子１に腰を掛けることができる。
【００７５】
さらに、洋式の椅子の座面の高さに比べ、座面６Ａの高さ寸法を、２０センチメートル以上２５センチメートル以下の低い寸法としたので、目線が低くなり、部屋内に立っている子供や孫たちの目線と同じ高さになり、昔の良き日本の「ちゃぶ台」の生活環境が取り戻せるものである。
【００７６】
また、それにより和式の座椅子１の重心が低くなり、和式の座椅子１が簡単に転倒してしまうことを防止することができるので、和式の座椅子１の転倒によりケガを負ったりすることを防止することができると共に、高年齢者や足、膝、腰などの体に苦痛をかかえている人であっても高さの低い和式の座椅子１に容易に腰を掛けてくつろぐことができる。よって、ひいては体調を和らげることができ快適性に優れる。
【００７７】
さらに、座面６Ａの座面面積を１００％とした場合、それに対する枠体１の下部に設けた畳面Ｔ或いはフローリング面と接触する設置部７の設置面積を、３．６％以上、より好ましくは４．０％以上６．０％以下にしたので、洋式の椅子に比べ、脚部５の設置面積を広く採ることができ、和室などに敷設されている畳面Ｔ或いはフローリング面の上に和式の座椅子１を載置した状態で座面６Ａに繰り返し座ったりしても、畳面Ｔ或いはフローリング面の表面に傷が付くことを防止することができるので、畳を張り替えたりフローリング面の傷を除去したりする煩雑な作業を長期間に亘って解消することが可能となる。しかも、本実施例における和式の座椅子１は、４つ脚部５を備えたものであるが、その他に、図示はしないが、脚部５の数を２つ或いは３つなどの複数備えた和式の座椅子１であっても、畳面Ｔ或いはフローリング面の上面に接触される複数の脚部５の設置面積の合計値を、３．６％以上、より好ましくは４．０％以上６．０％以下の範囲にすることで、洋式の椅子に比べて畳面或いはフローリング面Ｔに接触される設置部７の設置面積の合計値を広く採ることができ、座面６Ａに繰り返し座っても、畳面Ｔの表面に設置部７が食い込むことで畳面Ｔの表面が傷付くことを可及的に抑えることができる。しかも、畳面Ｔ或いはフローリング面の上で和式の座椅子１に腰を掛けた際、畳面Ｔ或いはフローリング面と接触する和式の座椅子１の設置部７にクッション材としてのフェルト部材１１を構成することで、より一層畳面Ｔ或いはフローリング面の表面に傷が付くことを防止することができる。また、和式の座椅子１の外側に体の一部がはみ出さないように（納まるように）和式の座椅子１に座ることが可能なことから、人の腰掛けた和式の座椅子１の近傍を通過する人が誤って腰を掛けている人に接触してしまうことを回避することも可能となる。
【００７８】
本発明の和式の座椅子１の他の実施例を、図１２を用いて説明する。図１２に示した和式の座椅子１の実施例は、図１〜図１１に基づき説明した第一の実施例の図５に対応する図であり、実施例として相違する点は、畳６の縁部６Ｂが、和式の座椅子１の左右方向（畳６の長手方向）に設けられている点と、背もたれ２の背もたれ部２Ａに開口部２Ｃが形成されている点と、和式の座椅子１の前面側の２つの脚部４の各々の前面に、回動自在に軸支された木製のローラ１２を構成したキャスター１３が固定されている点である。
【００７９】
これにより、畳６に腰をかける際、畳６の縁部６Ｂを踏んだり、縁部６Ｂの上に座ったりしないという日本人の風習にかなった本発明の和式の座椅子１の使用が可能となるものである。また、和式の座椅子１を前方側に傾斜させた状態でキャスター１３のローラ１２のみが畳面Ｔ或いはフローリング面などの床面に接触するようになっているために、背もたれ部２Ａの開口部２Ｃに手をかけて和式の座椅子１を少し前方に傾けて持ち上げ、その状態で和式の座椅子１を簡単に移動することができる。
【００８０】
本発明の和式の座椅子のさらに別の実施例を、図１３を用いて説明する。図１３に示した和式の座椅子１の実施例は、第二の実施例の図１２に対応する図であり、実施例として相違する点は、背もたれ２の構成であり、図１〜図１１及び図１２の背もたれ２のように、背もたれ部２Ａと座底部２Ｂが連続した曲面及び平面によって構成されているものではなく、クッション性を有した背あて部２Ｄとそれを支持する背もたれ支持部２Ｅとから構成されている点である。この実施例の背もたれ２も、一般的に市販されている座椅子を使用したものであり、容易に入手することが可能なものである。
【００８１】
図１４は、本発明の和式の座椅子１の枠体４の前方枠板部４Ａの中央下側に、めがねや筆記用具等を収納できるようにした引出し１７を設けて便利にしたものである。
【００８２】
本発明の具体的適用例としては、本発明の和式の座椅子１に合った図１５に示すテーブル卓２０も用意することにより、朝夕の食事は、昔の「ちゃぶ台」を取り戻すことができて心地よい「和式の座りの環境」を提供することができる。つまり、本発明の和式の座椅子１に合ったテーブル卓２０も用意することにより、このテーブル卓２０と和式の座椅子１を、和室の居間でも、洋室の居間でもセットしておけば、人数が多くなっても安心して共用して利用することができる。
【００８３】
図１５は、本発明の和式の座椅子に合ったテーブル卓の側面図であり、図１６は、本発明の和式の座椅子とそれに合ったテーブル卓を組み合わせて用いた使用例の説明図である。テーブル卓２０は、テーブル上面板２１が正方形（９０センチメートル×９０センチメートル）であるが、それ以外の形状、例えば、長方形、多角形、円形、楕円形、不定形状（夫々、図示せず）でも良い。テーブル上面板２１の下方には、図１５に示すように、２枚の正方形状の板（２２、２３）が張り合わされており、中板２２は一番小さく、その内法はテーブル上面板２１の内法よりそれぞれ５センチメートル程内側にある。つまりその外形は８０センチメートル×８０センチメートル程度である。下板２３は、テーブル上面板２１よりは小さく、中板２２よりは大きく、その外形は８５センチメートル×８５センチメートル程度である。このようなテーブル上面板２１、中板２２及び下板２３の寸法関係により、テーブル上面板２１と下板２３の間の中板２２の外周部に、略正方形の溝部２４が形成される。このテーブル卓２０の畳面Ｔ或いはフローリング面からテーブル上面までの高さＨが、本発明の和式の座椅子１に合うか合わないかを決める大切な数値であり、それは和式の座椅子１の座面６Ａの高さが、２０センチメートル以上２５センチメートル以下（好ましくは２１センチメートル、特に、女性に好ましくは２５センチメートル）としたのに対して、テーブル上面の高さを５０センチメートル程度にすることが好ましい。
【００８４】
下板２３の４隅近傍には、それぞれ脚部２５が取り付けられる。この脚部２５の断面形状は円形（φ６．５センチメートル）としたが、勿論、テーブル卓２の上面形状と同じく、例えば、正方形、長方形、多角形、円形、楕円形、不定形状（夫々、図示せず）でも良く、寸法もあぐらを組んでも邪魔にならない間隔と寸法であれば良い。このテーブル卓２０を本発明の和式の座椅子１と組み合わせて用いた使用例は、図１６のとおりであるが、本発明の和式の座椅子１にあぐらを組んで座り、テーブル卓２０上に新聞紙を広げて読めば、正に「和式の座りの環境」ができあがり、長時間でも疲れず居心地の良い時間をすごすことができるものである。また、図１６には、テーブル卓２０上に対して２台の本発明の和式の座椅子１のみしか描かれていないが、居間に置いて使用する場合は、通常、複数（４台程度）の本発明の和式の座椅子１を置いて使用するのが望ましく、それにより、古い昔の日本の「ちゃぶ台」が蘇ってくるものである。
【００８５】
このテーブル卓２０は、寒冷地の冬にはコタツとして使用することが可能に構成されている。例えば、図１７に示した２連の布団３０を、テーブル卓２０に装着することによりコタツとすることができる。コタツの暖は、電熱器を入れるか、チューブで温風を導入するか等の従来知られた方法で取ればよい。図１７に示した布団３０は、２枚の略Ｌ字形の布団３０の端部に第１，第２の紐状物３５Ａ、３５Ｂが繋げられている。これにより、この第１の紐状物３５Ａを、テーブル卓２０の略正方形の溝部２４に沿わせて巻いて、両方から出た第１の紐状物３５Ａ、３５Ａを結び合わせ、且つ、相対向する第２の紐状物３５Ｂ、３５Ｂを結合わせればコタツが完成する。この例では、２連の布団３０としているが、勿論、一枚の長方形の布団の一方の長辺側に紐状物を取り付けたものでも良い。
【００８６】
以上、本発明の実施例を詳述したが、前記実施例に限定されるものではなく、本発明の要旨の範囲内で種々の変形実施することも可能である。
【図面の簡単な説明】
【００８７】
【図１】本発明の一実施例の和式の座椅子を示す正面図である。
【図２】同上、和式の座椅子を示す側面図である。
【図３】同上、和式の座椅子を示す背面図である。
【図４】同上、和式の座椅子を示す断面図である。
【図５】同上、和式の座椅子を示す斜視図である。
【図６】同上、畳を取り外した状態を示す和式の座椅子の概略斜視図である。
【図７】同上、和式の座椅子に腰を掛けた状態を示す正面図である。
【図８】同上、和式の座椅子に腰を掛けた状態を示す側面図である。
【図９】同上、和式の座椅子に腰を掛けた状態で足を前方に伸ばした状態を示す側面図である。
【図１０】同上、和式の座椅子を移動するために後方に傾斜させた状態を示す説明図である。
【図１１】本発明の和式の座椅子の枠体の構成を示す斜視図である。
【図１２】本発明の別の実施例の和式の座椅子を示す斜視図である。
【図１３】本発明のさらに別の実施例の和式の座椅子を示す斜視図である。
【図１４】本発明の和式の座椅子に引き出しを取り付けた例を示す斜視図である。
【図１５】本発明の和式の座椅子に合ったテーブル卓の側面図である。
【図１６】本発明の「和式の座椅子」に合った「テーブル卓」を組み合わせた使用例の説明図である。
【図１７】本発明の「和式の座椅子」に合った「テーブル卓」に取り付けられる布団の概略図である。
【符号の説明】
【００８８】
１  和式の座椅子
２  背もたれ
２Ｂ  座底部
４  枠体
５  脚部
６  畳
６Ａ  座面
７  設置部
８  梁部材
９  開口部（空間部）
１０Ｂ  後方枠板部（枠板部）
１０Ｃ  左側枠板部（枠板部）
１０Ｄ  右側枠板部（枠板部）
１１  フェルト部材
１４  開口部
１５  畳保持板
【図１】
2008220921.tif 000003
【図２】
2008220921.tif 000004
【図３】
2008220921.tif 000005
【図４】
2008220921.tif 000006
【図５】
2008220921.tif 000007
【図６】
2008220921.tif 000008
【図７】
2008220921.tif 000009
【図８】
2008220921.tif 000010
【図９】
2008220921.tif 000011
【図１０】
2008220921.tif 000012
【図１１】
2008220921.tif 000013
【図１２】
2008220921.tif 000014
【図１３】
2008220921.tif 000015
【図１４】
2008220921.tif 000016
【図１５】
2008220921.tif 000017
【図１６】
2008220921.tif 000018
【図１７】
2008220921.tif 000019
【手続補正書】
【提出日】平成20年7月28日(2008.7.28)
【手続補正１】
【補正対象書類名】特許請求の範囲
【補正対象項目名】全文
【補正方法】変更
【補正の内容】
【特許請求の範囲】
【請求項１】
背面に背もたれを備えた和式の座椅子において、水平に設けられた腰を掛けるための座面と、該座面を構成する畳を組み付けた枠体と、該枠体の下部に設けた脚部と、前記枠体に固定された前記背もたれとを備え、前記畳を横長の長方形型に形成し、該横長の長方形型の畳の長手方向の中央に該畳の長手方向の寸法よりも幅寸法を小さくした前記背もたれを設けたことを特徴とする和式の座椅子。
【請求項２】
畳敷きの和室或いはフローリングの洋室に載置して用いる和式の座椅子であって、前後方向の寸法に比較して左右方向の寸法を大きくした横長の長方形に形成した畳と、その畳面で座面を構成するように前記横長の長方形の畳を組み込むための枠体と、該枠体の後方に配置した背もたれと、前記枠体の下部に設けた脚部とを備えており、
前記枠体は、前後左右方向の４枚の枠板部から構成され、且つ、左側枠板部と右側枠板部の間を該枠板部よりも高さが低い梁部材を渡し、該梁部材の上方には中央部を空けて一対の畳保持板を載置し、該畳保持板より上方に前記畳を収容するための横長の長方形の空間部を形成して、該空間部に前記横長の長方形の畳を取替え可能としたことを特徴とする和式の座椅子。
【手続補正２】
【補正対象書類名】明細書
【補正対象項目名】全文
【補正方法】変更
【補正の内容】
【発明の詳細な説明】
【技術分野】
【０００１】
本発明は、腰をかける和式の座椅子に関し、詳しくは、和室などに敷設された畳の上に載置して使用する和式の座椅子に関し、より詳しくは、洋室においても和室においても、洋室の場合はフローリングの上に置いて、和室の場合は畳の上において、あぐらを組む、正座する、足を投げ出して座る等々の自分が好ましい姿勢で自分の「座りの環境」を確保することができる和式の座椅子に関する。
【背景技術】
【０００２】
日本最古の椅子は弥生時代にまで遡ると言われているが、１８５３年黒船が横浜港に来航して以来、本格的に日本に入って来たものである。古く縄文・弥生時代より、朝鮮半島や中国の文化を自然に吸収して自らの特有の文化を育んできた日本人は、西欧の文化にも関心を持ち、何の抵抗も無く受け入れ現代に至っている。
【０００３】
しかしながら、一方では従来から、日本人には床や畳の上で、座ったり、横になったり、あぐらを組んだりする生活習慣がある。このような日本人の生活習慣を受け入れる畳の歴史は古く、約１２００年前に作られた日本独特のものであり、冬の厳しさと夏の暑さに対応し、開放的な日本家屋という日本の風土に合ったもので、自然の素材である畳表の井草と畳床の機能を最大限に生かした敷きのもとして愛用されてきたものである。その一方で、最近では、椅子を中心とした外国から入って来た西洋の生活習慣が、床や畳の上には座らない生活習慣として、どこの家庭でも取り入られ主流となってきている。
【０００４】
椅子は、人間の体に合わせ、使用目的に合わせて科学的・機能的に作られている。そしえ、椅子をその機能から分類すると、体をゆったりと休めるための安楽椅子、仕事をするための作業椅子（食事、事務など）、一時的に体を休める椅子等々、多くの機能で分類することができる。例えば、西洋の生活習慣においては日本人のように床や畳の上にあぐらを組んで座ったり、或いは、床面に直接寝転がったりして休憩する習慣がないことから、立ち上がっている状態から椅子に簡単に座ることができるよう、洋式の椅子の座面の高さは、人の膝の高さ程（約４５センチメートル）に設定されていることが一般的となっている。
【０００５】
日本に取り込まれてきた西洋の椅子は、特に、「座り」の日本文化を排除することもなく融合する形で侵食してきた。つまり、何の不思議もなく、畳の上にイスとテーブルを置いた生活環境が広がってきたものである。そして、椅子の形状からヒントを得て、畳の上で座るための機能を備えた座椅子と呼ばれる椅子も出現するのである。しかしながら、この座椅子にフカフカの座布団を置いて座ったとしても、何となく居心地が悪く、ましてや新聞を読んだり仕事をしたりするのには適している環境とは言えない。つまり、心地よい長時間の「日本の座りの環境」を提供してくれるものとは言えないものである。
【０００６】
椅子に関する文献は数限りないが、特許文献１及び特許文献２には、座面の高さが人の膝の高さほどになっている洋式の椅子が提案されており、椅子の座面に藤や藺草等の織成シートを用いるため枠木に織成シートを張り付けた構造が開示されている。
【０００７】
また、一般的に座椅子とよばれている椅子に関する文献も多く、特許文献３には、背、座、脚により構成され、脚をはずして座椅子にもなる折たたみ椅子が開示されている。また、特許文献４には、現代日本では、洋風の生活に慣れて正座する機会が少ない、それ故に長時間正座するのは非常に辛いことから、長時間正座をしても、足が痛くならず痺れる事もなく座れる様にする正座椅子が開示されている。
【０００８】
さらに、特許文献５には、上面に畳、カーペット、硬質マットレスなどやその他のこれらと類似の敷物を取り付け、野外において寝そべって休息することが出来る畳縁台が開示されている。
【０００９】
また、部屋そのものの構造を変更して家族の団欒を図ろうとする技術として、特許文献６には、床面の高さを違えることによって、第１の部屋空間と第２の部屋空間とに区切るとき、両部屋空間を利用して家族の団欒を図る技術が開示されている。
【００１０】
さらに、非特許文献１には、「タタミ・ベンチ」という名称で、キャスターつきの移動可能台の上に畳を載せて隣り合う２つの面にクッションを取り付け、さらに小さなテーブルも取り付けた椅子が開示されている。
【００１１】
【特許文献１】特開昭６０−６０８１４号公報
【特許文献２】特開昭５９−１３７００８号公報
【特許文献３】実用新案公開平９−５０３号公報
【特許文献４】特開平１１−２９０１５７号公報
【特許文献５】特開平８−９８７４４号公報
【特許文献６】特開平８−１８４２０１号公報
【非特許文献１】「現代の家具と照明  デザイナーズ・ブランド・コレクション」第195頁  鹿島出版会  1997年5月30日  第８刷発行
【発明の開示】
【発明が解決しようとする課題】
【００１２】
しかし、特許文献１などで開示されている洋式の椅子において達成できないものは畳の上の座りの環境と日本文化で醸造されてきた家庭の団欒である。つまり、本発明の課題とするところは、畳の上での座りの生活をして来た日本人に対して、畳の暖かさと井草の香りの中でゆったりとした時間を過ごすことができ、疲れない心地の良い座りの環境を提供しようというものである。
【００１３】
西洋の椅子は、人間の体に合わせ、使用目的に合わせて科学的・機能的に作られているものであるが故に、逆にその使用目的に反した使い方には不向きのものである。それに対して、畳の上での生活は、広い畳敷きの日本間のどこにでも自分の居所を定めて、そこに自分の気にあった姿勢で、正座をしたり、女座りをしたり、あぐらを組んだり、ゴロッと横になったりすることができる極めて柔軟性の高いものであり、この柔軟性の高さこそが日本文化の特徴であった。また、畳に座ることにより、立った姿勢や、洋風の椅子に座った姿勢よりも目線が低くなり、そこに集う子供たちとの目線が等しくなって、家族の団欒が図れるものであり、これも本発明の解決しようとする課題である。
【００１４】
蕎麦は荒地に花を咲かせ、力強く育ち、日本の食文化に花を添える食物である。本発明者は、蕎麦の魅力に取り付かれ、蕎麦を打つようになった。そして、蕎麦を食べるときは畳の暖かさの中で食べたいと思うし、蕎麦を肴に仲間と酒を酌み交わすときは、畳の井草表の香りの中で時間を過ごしたいと思う。このように、「和の心地の良い座り」を実現したいと願うものである。妻からは「あなたも歳だからヨ」と言われたとしても、「洋の椅子」ではなく、座椅子でも座布団でもなく、畳の上に座ったときのように日本人の心を解放する心地良い環境を提供するものが欲しい。確かに、畳の上に座ることでは苦しい思い出もある。今では知っている人さえ少なくなったが、学校の礼法室に座って感じた足のシビレと立ったときの開放感は忘れられない。それでも、日本人のＤＮＡには、畳の上で座ることに心の安らぎを感じる何かが組み込まれているように思う。
【００１５】
武家社会で確立された日本人の畳の上での座りの生活から、畳の上に椅子を置く生活へとシフトし、更には、フローリングに代わり、日本家屋の中に畳すらも忘れ去られようとしている。昔の畳の上での生活には、「ちゃぶ台」の周りに家族の憩いがあったように思う。子供との目線は近く、会話も近かった。だから、父親に真正面に座られると何か言われるのではないかと心が落ち着かないことも覚えている。しかし、一旦、畳に座ると簡単には立ち上がれない。立ち上がるにはそれなりの覚悟が必要になる。故に、この立ち上がりにくさが畳に座ることで心に落ち着きを与え、向かい合って座った人々の間に会話を促進させる効果もあるのである。このように、日本人の心が求めているものが「和式の座りの環境」にあると考える。これに対して、矩形のテーブルと洋式の椅子に座ると活動的で、すぐに立ち上がることができ、畳の上に座る生活とは対照的なものである。しかし、本願発明者は、座りの文化を見直し、正座やあぐらを組んで畳の上で生活する日本人の美しく思慮深い淑やかな環境を取り戻したいと考えている。このように「洋」の椅子文化に押された日本の居間に、古来より日本で培われてきた畳文化の「座り」を取り戻すことが本発明の課題である。
【００１６】
椅子は、いずれも体を支える使用目的があり、その使用目的に沿って合理的・人間工学的に設計されたものである。従って、人間の体をより良くサポートし美しく、機能的で、より使いやすく作られている。それに対して、日本人古来の「座り」の生活をそのまま受け入れるためには、正座することができて、あぐらを組むことができて、足を伸ばして腰を掛けて座ることができる環境を提供するものでなければならない。これは、明らかに洋式の椅子とは異なるものである。
【００１７】
また、洋式の椅子は和室などに敷設された畳の上に配置するには不向きである。すなわち、洋式の椅子は床板（フローリング）などに載置されることが前提で製造されていることから、脚部の下端面の設置面積(設置面積とは、椅子或いは本発明の和式の座椅子が畳の上或いは床板の上に設置された際に、脚部の下端面(設置部)が畳面或いは床板面と接触する面積を言う)が比較的小さく形成されているので、洋式の椅子を畳の上に載置した状態で人が繰り返し立ったり座ったりして使用すると、畳の上面の藺草などの繊維質に脚部の下端が食い込んでしまい畳の表面が傷付いてしまう。また、座面に藺草等の織成シートを採用した特許文献１では、織成シートは枠木に貼り付けている構造であることから、織成シートの表面が傷んだ際、枠木と繊維シートとからなる座面部材全体を交換しなければならず、消耗品となる座面部材を入手できない場合には、椅子としても利用できなくなってしまうといった懸念がある。
【００１８】
本発明は、前述した課題を解決するものであり、洋室に置いても和室に置いてもよく、洋室に置いた場合は、洋室内に「和式の座りの環境」を作り上げ、また和室に敷設された場合には、子供や孫と同じ目線で生活していた従来の畳の上での日本風な生活環境を取り戻し、また、畳の上で椅子を使用する際の畳が傷付いてしまうといった不具合をも防止することができ、また、自分の好みの姿勢で、自由で心地よい快適時間を過ごすことができる「和式の座りの環境」としてのものに使用することができる和式の座椅子を提供することを目的とする。
【課題を解決するための手段】
【００１９】
本発明の請求項１の和式の座椅子は、背面に背もたれを備えた和式の座椅子において、水平に設けられた腰を掛けるための座面と、該座面を構成する畳を組み付けた枠体と、該枠体の下部に設けた脚部と、前記枠体に固定された前記背もたれとを備え、前記畳を横長の長方形型に形成し、該横長の長方形型の畳の長手方向の中央に該畳の長手方向の寸法よりも幅寸法を小さくした前記背もたれを設けたことを特徴とする。
【００２０】
請求項１の構成により、和式の座椅子を畳の上で使用するに際し、和式の座椅子の背面に備えた背もたれによりかかるなどして、両膝を左右に開き両足を組んだあぐらの状態で座面に座った際、畳の長手方向が両膝を左右に開いた方向と同じ方向となることから、座面の長手方向の外側に膝など体の一部がはみ出さないようにした状態で座面に腰を掛けることができ、さらに座面を構成する部材として畳を用いているので、長時間座面に腰を掛けていても蒸れなどの不快感を抑えることができる。
【００２１】
本発明の請求項２の和式の座椅子は、畳敷きの和室或いはフローリングの洋室に載置して用いる和式の座椅子であって、前後方向の寸法に比較して左右方向の寸法を大きくした横長の長方形に形成した畳と、その畳面で座面を構成するように前記横長の長方形の畳を組み込むための枠体と、該枠体の後方に配置した背もたれと、前記枠体の下部に設けた脚部とを備えており、前記枠体は、前後左右方向の４枚の枠板部から構成され、且つ、左側枠板部と右側枠板部の間を該枠板部よりも高さが低い梁部材を渡し、該梁部材の上方には中央部を空けて一対の畳保持板を載置し、該畳保持板より上方に前記畳を収容するための横長の長方形の空間部を形成して、該空間部に前記横長の長方形の畳を取替え可能としたことを特徴とする。
【００２２】
請求項２の構成により、日本人古来の「座り」の生活をそのまま受け入れ、正座することができて、あぐらを組むことができて、足を伸ばして腰を掛けて座ることができる環境を提供できる和式の座椅子を得ることが可能となる。
【発明の効果】
【００２３】
本発明は、畳を基調とした古来の日本人の住まいの環境と家族の団欒を取り戻すものであり、それは、家族が集まる居間に畳の上での「和式の座りの環境」を提供するものである。現在は、どこの家でも洋間が居間になっている。そして、日本間は、機能的で活動的であるという点では、洋間に勝てない。しかしながら、昨今の日本では、本来の日本人の心をどこかに置き忘れてしまったのではないかと心配するほどである。しかし、本発明の和式の座椅子によって、日本人のＤＮＡとして脈々と受け継いがれてきた畳の上に座る文化を取り戻すことができるものであり、これが、本発明の最大の効果である。
【００２４】
そして、より具体的には以下のような効果を挙げることができる。
（１）朝の新聞は、本発明の「和式の座椅子」に座り、約１時間或いはそれ以上も、あぐらを組んで、ゆったりと読みふけることができる。これにより、実に快適な時間を過ごすことができるものである。
（２）本発明の「和式の座椅子」に合った「テーブル卓」も用意することにより、朝夕の食事は、昔の「ちゃぶ台」を取り戻すことができて心地よい場所となる。
（３）テレビとの目線が合い違和感がなくなる。洋式の椅子に座ってのテレビは、見下ろして見ていたが、何故か疲労感が出てくるものであった。故に、いつも食事後は椅子から降りて床に座って見ているのが現状であったが、本発明の「和式の座椅子」では、座り続けてゆっくりと見ることができる。今までは、子供も、テレビの前で床に座って顔を上げて見ていたが、本発明の「和式の座椅子」では、自然な目線でゆっくりと座って見ることができる。
（４）本発明の「和式の座椅子」は、自分の居場所として環境を確保することができ、家族と共通した時間を過ごすことができる。孫、子供、親、親父と目線を同じくし、会話の弾む環境を作ることができる。
（５）座布団のように重ねてしまえるよう、スタッキングが可能に設計することにより、部屋を有効に使うことができる。
（６）現在の日本の家屋では、高さ７０ｃｍ程度の洋式のテーブル、洋式の椅子、ソファー、そして、高さ３８ｃｍ程度の和式のテーブル、座椅子、座布団等々が不規則に置いてあるのが実状であり、夫々の場所の設定に苦慮しており、そこに大勢集まると和洋のテーブルが混在するために、集いの空間としては極めて使い勝手の悪い空間になっているのが現状である。そこで、本発明の「和式の座椅子」に合った「テーブル卓」も用意することにより、そんな問題点を解決してくれるものであり、この「テーブル卓」と「和式の座椅子」を、和室の居間でも、洋室の居間でもセットしておけば、人数が多くなっても安心して共用して利用することができる。
【００２５】
本発明の請求項１の和式の座椅子によれば、背面に背もたれを備えた和式の座椅子において、水平に設けられた腰を掛けるための座面と、該座面を構成する畳を組み付けた枠体と、該枠体の下部に設けた脚部と、前記枠体に固定された前記背もたれとを備え、前記畳を横長の長方形型に形成し、該横長の長方形型の畳の長手方向の中央に該畳の長手方向の寸法よりも幅寸法を小さくした前記背もたれを設けたものであり、これにより、座面の外側に下半身がはみ出さないようにした状態で和式の座椅子に座ることができるので、日本人の平均的な身長の男性やそれより身長の大きくない女性などがあぐらを組んで和式の座椅子の座面に腰を掛けた際に、快適に過ごすことが可能となる。さらに、座面を構成する部材として畳を用いているので、長時間座面に腰を掛けていても蒸れなどの不快感を抑えることができる。
【００２６】
本発明の請求項２の和式の座椅子によれば、畳敷きの和室或いはフローリングの洋室に載置して用いる和式の座椅子であって、前後方向の寸法に比較して左右方向の寸法を大きくした横長の長方形に形成した畳と、その畳面で座面を構成するように前記横長の長方形の畳を組み込むための枠体と、該枠体の後方に配置した背もたれと、前記枠体の下部に設けた脚部とを備えており、前記枠体は、前後左右方向の４枚の枠板部から構成され、且つ、左側枠板部と右側枠板部の間を該枠板部よりも高さが低い梁部材を渡し、該梁部材の上方には中央部を空けて一対の畳保持板を載置し、該畳保持板より上方に前記畳を収容するための横長の長方形の空間部を形成して、該空間部に前記横長の長方形の畳を取替え可能としたものであり、日本人古来の「座り」の生活をそのまま受け入れ、正座することができて、あぐらを組むことができて、足を伸ばして腰を掛けて座ることができる環境を提供できる和式の座椅子を得ることが可能なものである。
【発明を実施するための最良の形態】
【００２７】
本発明の和式の座椅子は、洋式の椅子でではなく、従来の座椅子でもなく、座布団でもなく、畳と融合した日本人の座る場所であり、心地良く座って過ごせる環境そのものである。それは、畳を基調とし、桐材を使用し、背もたれは市販の座椅子をそのまま使用したものである。従来の市販の座椅子は日本間に欠かせないくらい愛用されおり、クッションの良さ、シンプルさ、それに木製品と思われないくらいの弾力性は本発明の和式の座椅子に調和しているものである。
【００２８】
日本人には畳生活のＤＮＡが受け継がれて来ており、日本の座りの生活習慣から生まれたものが本発明の和式の座椅子である。椅子の生活は活動的であるが、本発明の和式の座椅子は静かで安定してゆったりとしたものである。座るときには体を曲げて手を着き、体を安定させる必要がある。立ち上がるときも手を着き、体を起こす必要がある。このように、動作は俊敏とは言えないものであるが、本発明の和式の座椅子に落ち着くと時間を忘れて座ってユックリと過ごすことができるものである。つまり、本発明の和式の座椅子の求めているものは、日本間のように安定した、ゆったりと心ほぐすことが出来る居心地の良い「和式の座りの環境」である。
【００２９】
以下、本発明を実施するための最良の形態としての一つの実施例を図１〜図１１に基づき以下に説明する。
【００３０】
図１は本発明の一例の和式の座椅子を示す正面図、図２は和式の座椅子を示す側面図、図３は和式の座椅子を示す背面図、図４は和式の座椅子を示す断面図、図５は和式の座椅子を示す斜視図、図６は座面部材たる畳を取り外した状態を示す和式の座椅子の概略斜視図、図７は和式の座椅子に腰を掛けた状態を示す正面図、図８は和式の座椅子に腰を掛けた状態を示す側面図、図９は和式の座椅子に腰を掛けた状態で足を前方に伸ばした状態を示す側面図、図１０は和式の座椅子を移動するために後方に傾斜させた状態を示す説明図、図１１は和式の座椅子の枠体の構成を示す斜視図である。
【００３１】
図１〜図９に示すように、本実施例における和式の座椅子１は、人がよりかかるための背もたれ２、この背もたれ２の一端側が固定手段たる釘３（釘以外の固定手段であっても良い）によって取り付けられた枠体４、枠体４の下部に一体に取り付けられた４つの脚部５（脚部は必ずしも４つである必要はなく、枠体が安定して置かれれば良い）、及び枠体４の上部に組み付けられた人が座るための平板状の畳６を備え、枠体４の下方に突設された４つの脚部５は角柱状（必ずしも角柱状である必要はなく、円柱状や底面が所定の載置面を備えた球形状でも良い）に形成されており、和室などに敷設されている平面状の畳面Ｔの上に脚部５の下端側が載置されるものである。当然のことながら、フローリングの洋室の居間に置くこともできる。この背もたれ２は、一般に市販されている木製の座椅子をそのまま用いることが便利である。
【００３２】
なお、和式の座椅子１を構成する背もたれ２、枠体４、４つの脚部５の各々は、材質が全て木製となっており、これらは釘などにより一体に組み付けられている。この木材は、桐材が好ましい。桐材は、家具材として優れており、日本では、昔から女の子が生まれたら桐の木を植えて娘と共に大事に育て、その娘がお嫁に行くときは、桐の木を切ってタンスとして持たせる風習があった。本発明の和式の座椅子１は、そんな暖かさを持つ最高の木材の桐材を畳と共に使用したものである。また、前記脚部５の４辺の寸法（４辺は全て同寸法）は、一辺が５．５センチメートル以上となっており、これにより、和式の座椅子１を畳の上に置いても、畳面Ｔにへこみ等を作ることがなく使えるものである。また、あまりに大きいと、かえって使い勝手が良くないので、６．５センチメートル以下となっている。
【００３３】
以下、和式の座椅子１の前後左右を表現する場合には、図５に示す状態で、「前方」或いは「前面側」、「後方」或いは「背面側」、「右側面側」、「左側面側」と表現することとする。また、原則的に上下方向を表現する場合にも、図５の状態で表現することとする。
【００３４】
図６及び図１１から、より明瞭であるように、枠体４は、上方から視ると外観形状が横長の長方形型を成しており、その内側に形成された長方形型の開口部９の形状に対応して長手方向（和式の座椅子１の左右方向）が５８．５センチメートル、これと直交する短手方向（和式の座椅子１の前後方向）が５１．０センチメートルの長方形型の畳６が組み付けられており、畳６の短手方向の寸法を１００％とした場合、畳６の長手方向の寸法は、約１１５％（縦横比１．１５：１）となっている。この畳６の５１．０×５８．５センチメートルという寸法は、日本人の平均的寸法として本発明者自身の体格から導き出したものである。つまり長手方向の５８．５センチメートルは、あぐらを組んだときの左右の膝の外側を測った寸法であり、短手方向の５１．０センチメートルは、畳６の中心部にあぐらを組んで座ったときの膝の前部から背中面までの距離から算出したものである。
【００３５】
枠体４の詳細な構成を、図１１を用いて説明する。枠体４の外観形状は組み合わされた４枚の枠板部１０Ａ、１０Ｂ、１０Ｃ及び１０Ｄから成り、上方から視ると外観形状が横長の長方形型を成しており、その内側に長方形型の開口部９を形成している。左側枠板部１０Ｃと右側枠板部１０Ｄの間を該枠板部１０Ｃ、１０Ｄよりも高さが低い梁部材８、８を渡し、梁部材８、８の上端面には中央部を空けて一対の畳保持板１５，１５を載置し、畳保持板より上方に前記畳を収容するための横長の長方形の空間部を開口部９として形成しているものである。これによって、開口部９内に横長の長方形の畳６を取替え可能に組み込むことができるものである。
【００３６】
後方枠板部１０Ｂの中央部付近には、背もたれ２の座底部２Ｂを挿入可能な開口部１４を形成している。この開口部１４は、その開口部下面が梁部材８、８の上端面と実質的に同じ高さとなるように形成され、その幅方向の寸法は、背もたれ２の幅方向の寸法と実質的に同じ寸法となるように形成され、開口部１４の高さ方向の寸法は、背もたれ２の座底部２Ｂの厚みと実質的に同じ寸法となるように形成されている。背もたれ２の座底部２Ｂは、後方枠板部１０Ｂの開口部１４から挿入され、一対の畳保持板１５，１５間に空いた中央部であって、梁部材８、８の上方に載置され、釘３，３等の適当な固定手段によって梁部材８、８に固定される。これにより、図６に示すように、一対の畳保持板１５，１５の上面と背もたれ２の座底部２Ｂの上面とが、実質的に同一平面状に位置し、畳６を組み込むための長方形型の開口部９を形成する。図６の背もたれ２の座底部２Ｂには円形の開口１９が形成されているが、これは、市販の座椅子によく空いているものであり、市販の座椅子を背もたれ２として利用しているが故であるが、この開口は、利用者が畳６の上にあぐらを組んで座る等すると人体が丁度この近辺に位置して、畳６の通気に役立つようになっている。
【００３７】
ここで、畳の寸法は、日本人の生活の中に溶け込んでいる座布団の寸法とも関係して決められているものであるが、座布団の寸法には３種類の寸法があり、具体的には、座布団カバーとして一番多い寸法である名仙判（５５×５９センチメートル）、客座布団として最適寸法の八端判（５９×６３センチメートル）、そして、仏前座布団としても用いられている部屋座布団（６８×７５センチメートル）があることは広く知られている（出展：http://www.maruokafuton.com/を参考）。座布団が日本人の生活の中に溶け込んで今日まであるのはそれなりの意味があるものであり、そこで、本発明の和式の座椅子１の畳６の寸法は、座布団カバーとして一番多い寸法である名仙判（５５×５９センチメートル）に準じて決定するのが好ましいと判断される。とすると、畳６の長手方向の寸法としては５９センチメートル程度が好ましい。これに対して、短手方向の寸法を名仙判の寸法である５５センチメートルにすると、特に、女性が座る（腰を掛ける）場合に前に足を投げ出して座る場合が多いために、背もたれ２までの距離が大きくなりすぎ、背もたれ２が遠いという感覚を受ける。そこで、本発明の和式の座椅子１においては、特に望ましい短手方向の寸法として５１センチメートルとした。
【００３８】
また、畳６の上面である人の腰を掛ける水平な座面６Ａの高さ寸法は、２０センチメートル以上２５センチメートル以下となっており、より詳しくは２１センチメートルとなっている。また、この点を実用の面、特に、女性があぐらを組まずに足を投げ出して座ることを考えた座り易さの面から検討すると、座面６Ａの高さ寸法は、より好ましくは、２５センチメートルである。
【００３９】
既に説明しているように、和式の座椅子１の背面側であって且つ畳６の長手方向の中央には背もたれ２が設けられており、人一人が座面６Ａの中央に座った際に、背もたれ２の中央に安定した状態で寄りかかれるようになっている。それには、後ろに寄りかかることのない座布団の奥行き方向の寸法より少し小さめにする方が好ましい。なお、本実施例における背もたれ２の位置は、畳６の長手方向の中央（用語の「中央」には、略中央も含むものと定義する。）に配置されており、畳６の長手方向寸法（５８．５センチメートル）よりも背もたれ２の幅寸法（畳の長手方向と同方向）は、３２センチメートル以上３７センチメートル以下の範囲となっているので小さい寸法のものである。この背もたれ２の幅寸法は、これ以上に大きくしても特に悪くはないが、製品製造コスト上の問題から、より簡便に製造するためには、容易に市場から購入できる既成の座椅子の背もたれをそのまま利用するのが便利であり、そのために、背もたれ２の幅寸法は市販の製品の寸法によって決められる。
【００４０】
また、枠体４の四隅に位置する内壁面には脚部５が、図示しない釘や螺子により、固定されており（当然、釘等を用いずに家具を組み立てるための一般的技術である組み込み式としても良いし、接着剤による固定方法を採用しても良い）、また、脚部５の下端には、部屋の畳面或いはフォローリングを痛めないために、フェルト部材１１が構成されている。
【００４１】
図２及び図３に示すように、和式の座椅子１の背面側に配置されている２つの脚部４の各々の背面には、和式の座椅子１の背面側に突出して回動自在に軸支された木製のローラ１２を構成したキャスター１３が固定されており、和式の座椅子１を後方側に傾斜させた状態でキャスター１３のローラ１２のみが畳面或いはフローリング面Ｔなどの床面に接触するようになっている。
【００４２】
次に上記構成に係る和式の座椅子の使用方法、及び和式の座椅子を使用する標準的な日本人の体型についてもあわせて以下に説明する。
【００４３】
日本人の標準体型の近年のデータ（厚生労働省平成１６年国民健康・栄養調査報告より）によれば、日本人の標準体型として、２０代の男性の身長は１７２．２センチメートル、２０代女性の身長は１５８．８センチメートルとなっており、成人全体の平均的な身長は、男性が１６７．１センチメートル、女性が１５３．７センチメートルとなっている。
【００４４】
さらに、図７〜図９に基づき説明すると、身長が１６７．１センチメートルの標準的な身長を有する男性（以下、単に男性と称す)が、本実施例の和式の座椅子１にあぐらを組んで腰を掛けた状態を図７及び図８に、足を前方に伸ばして腰を掛けた状態を図９に図示している。
【００４５】
図７に示すように、男性が畳６の上面に位置する座面６Ａに両足を折りたたんで左右に膝を開いたあぐらを組んで腰を掛けた状態においては、畳６の長手方向の寸法を好ましくは５８．５センチメートル以上６５センチメートル以下の範囲、具体的には５８．５センチメートル或いは５９センチメートルとしたことにより、座面６Ａの長手方向（図７に示す左右方向）の寸法内に男性のあぐらを組んだ左右の膝が納まっており、また、図８に示すように、畳６の短手方向（図８に示す左右方向）の寸法を、標準的な座布団の奥行き寸法より小さめな５１センチメートルとすれば、座面６Ａの短手方向（図８に示す左右方向）の寸法内にも男性が納まった上に、丁度、背中が背もたれ２の背もたれ部２Ａにもたれることになる。つまり、畳６の寸法を前述した寸法の横長の長方形型とすることで、男性があぐらを組んで和式の座椅子１の座面６Ａに腰を掛けても、男性は和式の座椅子１の内側に納まった状態で座ることが可能となる。なお、前述した標準的な身長を有する女性については、男性の標準身長よりも大きくないことから男性が和式の座椅子１の座面領域内に納まるのであれば、同様に女性も納まることが可能であることから、日本人の過半数以上の大多数の人が座面６Ａの範囲内に納まることができる。
【００４６】
前述したように、日本人の生活の中に溶け込んでいる座布団の３種類の寸法は、名仙判が５５×５９センチメートル、八端判が５９×６３センチメートル、そして、部屋座布団が６８×７５センチメートルであり、畳６の長手方向の寸法を好ましくは５８．５センチメートル以上６５センチメートル以下の範囲としたことは、本発明の和式の座椅子１には、部屋座布団ほどの大きさは必要としないが、大きめのサイズである八端判の６３センチメートルから標準的な名仙判の５９センチメートル程度が好ましいものとした所以である。
【００４７】
図９は男性が足を前方に投げ出した（伸ばした）状態で和式の座椅子１に腰を掛けたものであり、この掛け方は、特に、女性に多く見られるものである。このようにしてリラックスした状態で和式の座椅子１に腰を掛けたくなった場合や、或いは、長時間に亘って同じ姿勢であぐらを組んでいた人が姿勢を変えたくなった際、畳面Ｔ或いはフローリング面や床板などの平坦な床に和式の座椅子１を使わずに直接座った際には、安定した状態で体を支えるには肉体的な負担を感じたりするものではあるが、座面６Ａの高さ寸法を２０センチメートル以上２５センチメートル以下、好ましくは２１センチメートルとして低くすることで、男性が座面６Ａに腰を掛けながら膝を自然に曲げて足の先端側を畳面Ｔ或いはフローリング面に接触させた状態で楽な姿勢を保つことが可能となる。さらに、洋式の椅子のように座面が高くないので和式の座椅子１の座面６Ａに腰を掛けている状態で和式の座椅子１が倒れてしまう不具合も解消され安全性に優れる。また、特に、女性が、図９に示すような座り方で前に足を投げ出して座るのではなく、左右斜めに足を曲げて座る場合には、座面６Ａの高さ寸法は、２１センチメートルとして低くするよりも、２５センチメートルとして高くする方が都合良い高さになる。
【００４８】
また、図１０は、本発明の和式の座椅子１の前方を持ち上げ、後方に傾斜させた状態で和式の座椅子１を移動している状態を示している。本実施例における和式の座椅子１の前方を持ち上げた際には、図１０に示すように、畳面Ｔ或いはフローリング面の上面にキャスター１３のローラ１２のみが接触し、ローラ１２が和式の座椅子１の移動に伴い回転することによって、和式の座椅子１を所望の位置に自由且つ簡便に移動することができるので利便性に優れ、さらに、和式の座椅子１の背面側にキャスター１３が配置されていることから、和式の座椅子１を正面側から視た際には、キャスター１３は脚部５の背面側に隠れることよって和式の座椅子１に腰を掛けた人の対面にいる相手側にキャスター１３が見えないようになっているので美観的にも優れるものである。
【００４９】
また、畳面Ｔ或いはフローリング面に接触する設置部７の設置面積を、畳６の座面６Ａ面積に対し広く採っていることで、畳面Ｔ或いはフローリング面の上で和式の座椅子１を繰り返し使用した場合であっても、畳面Ｔ或いはフローリング面の表面に脚部５の下端側が食い込んだりして畳面Ｔ或いはフローリング面を傷付けてしまうことを防止することができる。
【００５０】
さらに、脚部５の下端にフェルト材１１（当然のことながら、ゴム材でも良い）を貼り付けることで、畳面Ｔ或いはフローリング面と脚部５との間にフェルト部材１１が介在することになるので、より一層、畳面或いはフローリング面を傷付けてしまうことを防止することができる。脚部５の下端にゴム材を貼り付けた場合には、フローリング面Ｔに対してスベリ防止効果を奏することができる。
【００５１】
さらに、人が腰を掛ける座面部材として畳６を採用することで、座面６Ａに長時間に亘り腰を掛けても蒸れたりすることも解消でき、適度な弾性もあり、また、消耗材として単独で取り引きすることが可能な着脱自在な畳６を枠体４に組み付けられているので、畳６が劣化しても新しいものに簡単に取り替えることができる。このように、畳６が劣化した場合に新しい畳に簡単に取り替えられるようにするためには、着脱自在な畳６の寸法を、例えば、５１．０×５８．５センチメートル或いは５５×５９センチメートル等として企画化することが必須である。畳６の座面６Ａの弾性力は、枠部４の横長の長方形の空間部である開口部９の底面を形成する一対の畳保持板１５，１５及び背もたれ２の座底部２Ｂの強度（厚み等）であり、それを支える梁部材８、８の強度でもある。その強度を高めるためには一対の畳保持板１５，１５の上或いは下に、横長の長方形型の開口部９と実質的に同一寸法の補強板１６を設ければ良く、本実施例における補強板１６（図１１では補強板１６等は図示せず省略している。）は畳保持板１５，１５の下に設けられている。
【００５２】
以上のように、本実施例における和式の座椅子１によれば、日本人の標準体型を考慮し、人が腰を掛けるための座面６Ａを構成する畳６が上部の開口部９内に組み付けられた枠体４、枠体４の下部に設けた脚部５、及び釘３で枠体１に一体に固定した背もたれ２を備え、畳６を上方から視た状態において畳６を横長の長方形型に形成し、この横長の長方形型の畳６の長手方向の中央であって且つ和式の座椅子１の背面側に背もたれ２を設けたものである。この背もたれ２は、図４及び図６に示すように、座る人の背中の形状に合うような曲面を有した背もたれ部２Ａと平面状の座底部２Ｂとから成り、背もたれ部２Ａと座底部２Ｂは連続的に繋がった形状であり、通常は複数枚の張り合わせ合板から作られる。この背もたれ２は、枠体４を構成する後方枠板部１０Ｂの背もたれ２を挿入するための開口部１４（図１１に明瞭に示されている）から座底部２Ｂが挿入されている。
【００５３】
これにより、和式の座椅子１の背面に備えた背もたれ２によりかかりながら、両膝を左右に開き両足を組んだ、つまりあぐらを組んだ状態で座面６Ａに座った際に、両膝を左右に開いた方向が畳６の長手方向と同じ方向となることから、座面６Ａの長手方向外側に足などの体の一部がはみ出さないようにした状態で和式の座椅子１に座ることができる。すなわち、日本人の平均的な身長の男性、それと同等の身長の女性、及び、これらより身長の大きくない女性など日本人の大多数の人（過半数以上の人）があぐらを組んで和式の座椅子１に腰を掛けたとしても、和式の座椅子１の座面６Ａから落下しそうになったりするなどして不快な思いをすることなく快適に過ごすことが可能となる。さらに、座面６Ａを構成する部材として藺草等を使用した畳６を用いているので、長時間座面６Ａに腰を掛けていても蒸れなどの不快感を抑えることができる。
【００５４】
さらに、日本人の平均的な身長を考慮し、畳６の長手方向の寸法を５８．５センチメートル以上６５センチメートル以下の条件としたことで、日本人の多くの人が、あぐらを組んで座面６Ａに座ったとしても、座面６Ａの長手方向外側に体の一部（足など）がはみ出さないようにした状態で和式の座椅子１に腰を掛けることができる。
【００５５】
さらに、洋式の椅子の座面の高さに比べ、座面６Ａの高さ寸法を、２０センチメートル以上２５センチメートル以下の低い寸法としたので、目線が低くなり、部屋内に立っている子供や孫たちの目線と同じ高さになり、昔の良き日本の「ちゃぶ台」の生活環境が取り戻せるものである。
【００５６】
また、座面６Ａの高さ寸法を、２０センチメートル以上２５センチメートル以下の低い寸法としたことにより和式の座椅子１の重心が低くなり、和式の座椅子１が簡単に転倒してしまうことを防止することができるので、和式の座椅子１の転倒によりケガを負ったりすることを防止することができると共に、高年齢者や足、膝、腰などの体に苦痛をかかえている人であっても高さの低い和式の座椅子１に、容易にそして安心して腰を掛けてくつろぐことができる。よって、ひいては体調を和らげることができ快適性に優れる。
【００５７】
さらに、座面６Ａの座面面積を１００％とした場合、この座面面積に対する枠体１の下部に設けた畳面Ｔ或いはフローリング面と接触する設置部７の設置面積（枠体に一体に取り付けられた複数の脚部の設置面積を合計した値）を、３．６％以上、より好ましくは４．０％以上、６．０％以下にしたので、洋式の椅子に比べ、脚部５の設置面積を広く採ることができ、和室などに敷設されている畳面Ｔ或いはフローリング面の上に和式の座椅子１を載置した状態で座面６Ａに繰り返し座ったりしても、畳面Ｔ或いはフローリング面の表面に傷が付くことを防止することができるので、畳を張り替えたりフローリング面の傷を除去したりする煩雑な作業を長期間に亘って解消することが可能となる。しかも、本実施例における和式の座椅子１は、４つ脚部５を備えたものであるが、その他に図示はしないが、例えば脚部５の数を２つ或いは３つなど２つ以上の複数備えた和式の座椅子１であっても、畳面Ｔ或いはフローリング面の上面に接触される複数の脚部５の設置面積の合計値を、３．６％以上、より好ましくは４．０％以上、６．０％以下の範囲にすることで、洋式の椅子に比べて畳面或いはフローリング面Ｔに接触される設置部７の設置面積の合計値を広く採ることができ、座面６Ａに繰り返し座っても、畳面Ｔの表面に設置部７が食い込むことで畳面Ｔの表面が傷付くことを可及的に抑えることができる。しかも、畳面Ｔ或いはフローリング面の上で和式の座椅子１に腰を掛けた際、畳面Ｔ或いはフローリング面と接触する和式の座椅子１の設置部７にクッション材としてのフェルト部材１１を貼り付けた（構成する）ことで、より一層畳面Ｔ或いはフローリング面の表面に傷が付くことを防止することができる。また、和式の座椅子１の外側に体の一部がはみ出さないように（納まるように）和式の座椅子１に座ることが可能なことから、人の腰掛けた和式の座椅子１の近傍を通過する人が誤って腰を掛けている人に接触してしまうことを回避することも可能となる。
【００５８】
また、本実施例における和式の座椅子１は、畳敷きの和室或いはフローリングの洋室に載置して用いる和式の座椅子１であって、前後方向の寸法に比較して左右方向の寸法を大きくした横長の長方形に形成した畳６と、その畳面で座面６Ａを構成するように横長の長方形の畳６を組み込むための枠体４と、この枠体４の後方に配置した背もたれ２と、枠体４の下部に設けた脚部５とを備えており、枠体４は、前後左右方向の４枚の枠板部１０Ａ，１０Ｂ，１０Ｃ，１０Ｄから構成され、左側枠板部１０Ｃと右側枠板部１０Ｄの間を該枠板部１０Ｃ，１０Ｄよりも高さが低い梁部材８を渡し、梁部材８の上方には中央部を空けて一対の畳保持板１５を載置し、畳保持板１５より上方に畳６を収容するための横長の長方形の空間部としての開口部９を形成して、開口部９たる空間部に横長の長方形の畳６を取替え可能としたものであり、これにより日本人古来の「座り」の生活をそのまま受け入れ、正座することができて、あぐらを組むことができて、足を伸ばして腰を掛けて座ることができる環境を提供できる和式の座椅子１を得ることが可能となる。
【００５９】
また、枠体４の後方枠板部（枠板部）１０Ｂには、背もたれ２の座底部２Ｂを挿入可能な開口部１４を形成し、背もたれ２の座底部２Ｂを開口部１４から挿入して、一対の畳保持板１５の間に空いた中央部であって、梁部材８の上方に載置したものであり、背もたれ２においては、市販の座椅子を用いて、その座底部２Ｂを開口部１４から挿入して一対の畳保持板１５の間に空いた中央部であって梁部材８の上方に載置し、そして、横長の長方形の畳６の長手方向の寸法は、名仙判と八端判の座布団の長辺の長さに合わせて５８．５センチメートル以上６５センチメートル以下としたことにより、畳６の上であぐらを組んでも両膝が６Ａ座面の横方向寸法をはみ出さないようになり、心地よい「和式の座りの環境」が提供できる。
【００６０】
本発明の和式の座椅子１の他の実施例を、図１２を用いて説明する。図１２に示した和式の座椅子１の実施例は、図１〜図１１に基づき説明した第一の実施例の図５に対応する図であり、実施例として相違する点は、畳６の縁部６Ｂが、和式の座椅子１の左右方向（畳６の長手方向）に設けられている点と、背もたれ２の背もたれ部２Ａに開口部２Ｃが形成されている点と、和式の座椅子１の前面側の２つの脚部４の各々の前面に、回動自在に軸支された木製のローラ１２を構成したキャスター１３が固定されている点である。
【００６１】
これにより、畳６に腰をかける際、畳６の縁部６Ｂを踏んだり、縁部６Ｂの上に座ったりしないという日本人の風習にかなった本発明の和式の座椅子１の使用が可能となるものである。また、和式の座椅子１を前方側に傾斜させた状態でキャスター１３のローラ１２のみが畳面Ｔ或いはフローリング面などの床面に接触するようになっているために、背もたれ部２Ａの開口部２Ｃに手をかけて和式の座椅子１を少し前方に傾けて持ち上げ、その状態で和式の座椅子１を簡単に移動することができる。
【００６２】
本発明の和式の座椅子のさらに別の実施例を、図１３を用いて説明する。図１３に示した和式の座椅子１の実施例は、第二の実施例の図１２に対応する図であり、実施例として相違する点は、背もたれ２の構成であり、図１〜図１１及び図１２の背もたれ２のように、背もたれ部２Ａと座底部２Ｂが連続した曲面及び平面によって構成されているものではなく、クッション性を有した背あて部２Ｄとそれを支持する背もたれ支持部２Ｅとから構成されている点である。この実施例の背もたれ２も、一般的に市販されている座椅子を使用したものであり、容易に入手することが可能なものである。
【００６３】
図１４は、本発明の和式の座椅子１の枠体４の前方枠板部４Ａの中央下側に、めがねや筆記用具等を収納できるようにした引出し１７を設けて便利にしたものである。
【００６４】
本発明の具体的適用例としては、本発明の和式の座椅子１に合った図１５に示すテーブル卓２０も用意することにより、朝夕の食事は、昔の「ちゃぶ台」を取り戻すことができて心地よい「和式の座りの環境」を提供することができる。つまり、本発明の和式の座椅子１に合ったテーブル卓２０も用意することにより、このテーブル卓２０と和式の座椅子１を、和室の居間でも、洋室の居間でもセットしておけば、人数が多くなっても安心して共用して利用することができる。
【００６５】
図１５は、本発明の和式の座椅子に合ったテーブル卓の側面図であり、図１６は、本発明の和式の座椅子とそれに合ったテーブル卓を組み合わせて用いた使用例の説明図である。テーブル卓２０は、テーブル上面板２１が正方形（９０センチメートル×９０センチメートル）であるが、それ以外の形状、例えば、長方形、多角形、円形、楕円形、不定形状（夫々、図示せず）でも良い。テーブル上面板２１の下方には、図１５に示すように、２枚の正方形状の板（２２、２３）が張り合わされており、中板２２は一番小さく、その内法はテーブル上面板２１の内法よりそれぞれ５センチメートル程内側にある。つまりその外形は８０センチメートル×８０センチメートル程度である。下板２３は、テーブル上面板２１よりは小さく、中板２２よりは大きく、その外形は８５センチメートル×８５センチメートル程度である。このようなテーブル上面板２１、中板２２及び下板２３の寸法関係により、テーブル上面板２１と下板２３の間の中板２２の外周部に、略正方形の溝部２４が形成される。このテーブル卓２０の畳面Ｔ或いはフローリング面からテーブル上面までの高さＨが、本発明の和式の座椅子１に合うか合わないかを決める大切な数値であり、それは和式の座椅子１の座面６Ａの高さが、２０センチメートル以上２５センチメートル以下（好ましくは２１センチメートル、特に、女性に好ましくは２５センチメートル）としたのに対して、テーブル上面の高さを５０センチメートル程度にすることが好ましい。
【００６６】
下板２３の４隅近傍には、それぞれ脚部２５が取り付けられる。この脚部２５の断面形状は円形（φ６．５センチメートル）としたが、勿論、テーブル卓２の上面形状と同じく、例えば、正方形、長方形、多角形、円形、楕円形、不定形状（夫々、図示せず）でも良く、寸法もあぐらを組んでも邪魔にならない間隔と寸法であれば良い。このテーブル卓２０を本発明の和式の座椅子１と組み合わせて用いた使用例は、図１６のとおりであるが、本発明の和式の座椅子１にあぐらを組んで座り、テーブル卓２０上に新聞紙を広げて読めば、正に「和式の座りの環境」ができあがり、長時間でも疲れず居心地の良い時間をすごすことができるものである。また、図１６には、テーブル卓２０上に対して２台の本発明の和式の座椅子１のみしか描かれていないが、居間に置いて使用する場合は、通常、複数（４台程度）の本発明の和式の座椅子１を置いて使用するのが望ましく、それにより、古い昔の日本の「ちゃぶ台」が蘇ってくるものである。
【００６７】
このテーブル卓２０は、寒冷地の冬にはコタツとして使用することが可能に構成されている。例えば、図１７に示した２連の布団３０を、テーブル卓２０に装着することによりコタツとすることができる。コタツの暖は、電熱器を入れるか、チューブで温風を導入するか等の従来知られた方法で取ればよい。図１７に示した布団３０は、２枚の略Ｌ字形の布団３０の端部に第１，第２の紐状物３５Ａ、３５Ｂが繋げられている。これにより、この第１の紐状物３５Ａを、テーブル卓２０の略正方形の溝部２４に沿わせて巻いて、両方から出た第１の紐状物３５Ａ、３５Ａを結び合わせ、且つ、相対向する第２の紐状物３５Ｂ、３５Ｂを結合わせればコタツが完成する。この例では、２連の布団３０としているが、勿論、一枚の長方形の布団の一方の長辺側に紐状物を取り付けたものでも良い。
【００６８】
以上、本発明の実施例を詳述したが、前記実施例に限定されるものではなく、本発明の要旨の範囲内で種々の変形実施することも可能である。
【図面の簡単な説明】
【００６９】
【図１】本発明の一実施例の和式の座椅子を示す正面図である。
【図２】同上、和式の座椅子を示す側面図である。
【図３】同上、和式の座椅子を示す背面図である。
【図４】同上、和式の座椅子を示す断面図である。
【図５】同上、和式の座椅子を示す斜視図である。
【図６】同上、畳を取り外した状態を示す和式の座椅子の概略斜視図である。
【図７】同上、和式の座椅子に腰を掛けた状態を示す正面図である。
【図８】同上、和式の座椅子に腰を掛けた状態を示す側面図である。
【図９】同上、和式の座椅子に腰を掛けた状態で足を前方に伸ばした状態を示す側面図である。
【図１０】同上、和式の座椅子を移動するために後方に傾斜させた状態を示す説明図である。
【図１１】本発明の和式の座椅子の枠体の構成を示す斜視図である。
【図１２】本発明の別の実施例の和式の座椅子を示す斜視図である。
【図１３】本発明のさらに別の実施例の和式の座椅子を示す斜視図である。
【図１４】本発明の和式の座椅子に引き出しを取り付けた例を示す斜視図である。
【図１５】本発明の和式の座椅子に合ったテーブル卓の側面図である。
【図１６】本発明の「和式の座椅子」に合った「テーブル卓」を組み合わせた使用例の説明図である。
【図１７】本発明の「和式の座椅子」に合った「テーブル卓」に取り付けられる布団の概略図である。
【符号の説明】
【００７０】
１  和式の座椅子
２  背もたれ
２Ｂ  座底部
４  枠体
５  脚部
６  畳
６Ａ  座面
７  設置部
８  梁部材
９  開口部（空間部）
１０Ｂ  後方枠板部（枠板部）
１０Ｃ  左側枠板部（枠板部）
１０Ｄ  右側枠板部（枠板部）
１１  フェルト部材
１４  開口部
１５  畳保持板